(57)【要約】  適合的周波数領域リソース構成方法、装置、および通信システムを開示する。当該方法は、送信装置が送信したパイロット信号を受信装置により受信するステップと、当該パイロット信号を測定することによって当該パイロット信号を送信するためのチャネルのチャネル情報を送信装置にフィードバックして、送信装置が当該送信装置の帯域幅周波数を当該チャネル情報に従って分割するようにするステップとを含む。受信装置が、当該受信したパイロット信号に従って当該チャネル情報を送信装置にフィードバックすることができ、送信装置が当該帯域幅周波数をチャネル品質に従って分割することができ、受信装置によりフィードバックされたチャネル情報に従って各サブキャリアの周波数領域リソースで適合的調整を実施することができ、その結果、システムの周波数効率を高めることができ、通信システムの性能を保証することができる。
2015526980.tif 000002
【特許請求の範囲】
【請求項１】
適合的周波数領域リソース構成方法であって、
送信装置により、パイロット信号を受信装置に送信するステップと、
前記送信装置により、前記パイロット信号を送信するためのチャネルのチャネル情報を受信するステップであって、前記チャネル情報は前記受信装置によりフィードバックされ、前記チャネル情報は前記パイロット信号を測定した後に前記受信装置により得られた情報であるステップと、
前記送信装置により、前記チャネル情報に従って前記送信装置の帯域幅周波数を分割するステップと、
を含む、方法。
【請求項２】
前記送信装置により、パイロット信号を受信装置に送信するステップは、前記送信装置により、パイロット信号を前記受信装置に各事前分割された周波数領域で送信するステップであって、全ての周波数領域は前記送信装置の前記帯域幅周波数を形成するステップを含み、
前記送信装置により、前記パイロット信号を送信するためのチャネルのチャネル情報を受信するステップであって、前記チャネル情報は前記受信装置によりフィードバックされるステップは、前記送信装置により、前記受信装置によりフィードバックされた各周波数領域の１群のチャネル品質インジケータＣＱＩ値を受信するステップであって、前記周波数領域の前記１群の前記ＣＱＩ値は前記受信装置により測定されたＣＱＩ値であり、前記周波数領域での前記送信装置の各周波数リソース・グループに対応し、および周波数リソース・グループは異なる数のサブキャリアで前記パイロット信号を運搬するステップを含み、
前記送信装置により、前記チャネル情報に従って前記送信装置の帯域幅周波数を分割するステップは、
最大ＣＱＩ値を前記周波数リソース・グループに対応する前記ＣＱＩ値から取得するステップと、
前記周波数領域を前記最大ＣＱＩ値に対応するサブキャリアの数に従って分割するステップと、
を含む、請求項１に記載の方法。
【請求項３】
前記送信装置により、パイロット信号を前記受信装置に各事前分割された周波数領域で送信するステップは、
それに応答して、前記送信装置により、Ｎ個の周波数リソース・グループに従って、各周波数領域内のＮ個のパイロット信号グループを送信するステップであって、前記Ｎ個の周波数リソース・グループは、前記周波数領域を異なる数のサブキャリアに従って分割することによって前記送信装置により取得されたグループであり、Ｎは自然数であり、各周波数リソース・グループ内のサブキャリアは対応するパイロット信号グループを運搬するステップ、
または、
前記送信装置により、各周波数領域内の１個のパイロット信号グループを第１の周波数リソース・グループに含まれるサブキャリアで送信するステップであって、前記第１の周波数リソース・グループは、前記周波数領域を異なる数のサブキャリアに従って分割することによって前記送信装置により取得された前記Ｎ個の周波数リソース・グループにおいて最大数のキャリアを有する周波数リソース・グループであるステップ
を含む、請求項２に記載の方法。
【請求項４】
前記送信装置により、パイロット信号を受信装置に送信するステップは、前記送信装置により、広帯域パイロット信号を前記帯域幅周波数で前記受信装置に送信するステップを含み、
前記送信装置により、前記パイロット信号を送信するためのチャネルのチャネル情報を受信するステップであって、前記チャネル情報は前記パイロット信号を測定した後に前記受信装置によりフィードバックされるステップは、前記受信装置が各周波数領域に対応するサブパイロット信号のチャネル状態情報ＣＳＩ値を測定し、前記周波数領域に対応する前記サブパイロット信号の前記ＣＳＩ値を閾値範囲と比較した後、前記送信装置により、前記受信装置により前記送信装置にフィードバックされた比較結果を受信するステップであって、前記周波数領域に対応する前記サブパイロット信号は、前記受信装置が、周波数間隔に従って前記広帯域パイロット信号を前記帯域幅周波数で分割した後に取得された各分割された周波数領域に対応するサブパイロット信号であり、各サブパイロット信号は前記帯域幅周波数上の１つの周波数領域に対応するステップを含み、
前記送信装置により、前記チャネル情報に従って前記送信装置の帯域幅周波数を分割するステップは、前記受信装置によりフィードバックされた前記比較結果に従って前記帯域幅周波数の各周波数領域を分割するステップを含む、
請求項１に記載の方法。
【請求項５】
前記送信装置にフィードバックされた前記比較結果は特に前記送信装置にフィードバックされた閾値範囲の量子化値であり、前記閾値範囲の前記量子化値は、前記受信装置が前記周波数領域に対応する前記サブパイロット信号の前記ＣＳＩ値が属する閾値範囲を決定した後に前記送信装置にフィードバックされた量子化値であり、
前記受信装置によりフィードバックされた前記比較結果に従って前記帯域幅周波数の各周波数領域を分割するステップは、前記周波数領域を前記閾値範囲の前記受信した量子化値に対応する周波数領域分割方式で分割するステップを含む、
請求項４に記載の方法。
【請求項６】
送信装置が送信したパイロット信号を受信装置により受信するステップと、
前記受信装置により、前記パイロット信号を測定することによって、前記パイロット信号を送信するためのチャネルのチャネル情報を前記送信装置にフィードバックして、前記送信装置が前記送信装置の帯域幅周波数を前記チャネル情報に従って分割するようにするステップと、
を含む、適合的周波数領域リソース構成方法。
【請求項７】
送信装置が送信したパイロット信号を受信装置により受信するステップは、前記受信装置によりパイロット信号を受信するステップであって、前記パイロット信号は前記送信装置により各事前分割された周波数領域で送信され、全ての周波数領域は前記送信装置の前記帯域幅周波数を形成するステップを含み、
前記受信装置により、前記パイロット信号を測定することによって、前記パイロット信号を送信するためのチャネルのチャネル情報を前記送信装置にフィードバックして、前記送信装置が前記送信装置の帯域幅周波数を前記チャネル情報に従って分割するようにするステップは、
前記受信装置により、前記送信装置の各周波数リソース・グループに対応するＣＱＩ値を各周波数領域で測定するステップであって、周波数リソース・グループは異なる数のサブキャリアで前記パイロット信号を運搬するステップと、
前記受信装置により、前記周波数リソース・グループに対応する前記ＣＱＩ値を前記送信装置にフィードバックして、前記送信装置が最大ＣＱＩ値を前記周波数リソース・グループに対応する前記ＣＱＩ値から取得して前記周波数領域を前記最大ＣＱＩ値に対応するサブキャリアの数に従って分割するようにするステップと、
を含む、請求項６に記載の方法。
【請求項８】
前記受信装置によりパイロット信号を受信するステップであって、前記パイロット信号は前記送信装置により各事前分割された周波数領域で送信されるステップは、前記受信装置によりＮ個のパイロット信号グループを受信するステップであって、前記Ｎ個のパイロット信号グループはそれに応じて、Ｎ個の周波数リソース・グループに従って、前記送信装置により各周波数領域で送信され、前記Ｎ個の周波数リソース・グループは、前記周波数領域を異なる数のサブキャリアに従って分割することによって前記送信装置により取得されたグループであり、Ｎは自然数であり、各周波数リソース・グループ内のサブキャリアは対応するパイロット信号グループを運搬するステップを含み、
前記受信装置により、前記送信装置の各周波数リソース・グループに対応するＣＱＩ値を各周波数領域で測定するステップは、前記Ｎ個のパイロット信号グループを各周波数領域でそれぞれ測定して、各周波数領域のＮ個のＣＱＩ値を取得するステップを含む、
請求項７に記載の方法。
【請求項９】
前記受信装置によりパイロット信号を受信するステップであって、前記パイロット信号は前記送信装置により各事前分割された周波数領域で送信されるステップは、前記受信装置によりパイロット信号グループを受信するステップであって、前記パイロット信号グループは、第１の周波数リソース・グループに含まれるサブキャリアを介して、前記送信装置により各周波数領域で送信され、前記第１の周波数リソース・グループは、前記周波数領域を異なる数のサブキャリアに従って分割することによって前記送信装置により取得された前記Ｎ個の周波数リソース・グループにおいて最大数のキャリアを有する周波数リソース・グループであるステップを含み、
前記受信装置により、前記送信装置の各周波数リソース・グループに対応するＣＱＩ値を各周波数領域で測定するステップは、
前記受信装置により、前記第１の周波数リソース・グループに対応する前記パイロット信号グループ内の全てのパイロット信号のＣＱＩ値を測定し、全ての前記パイロット信号の前記ＣＱＩ値の和を前記パイロット信号グループのＣＱＩ値として使用するステップと、
前記受信装置により、前記第１の周波数リソース・グループに対応する前記パイロット信号グループ内の前記パイロット信号を周波数領域で結合することによって、前記Ｎ個の周波数リソース・グループ内の前記第１の周波数リソース・グループ以外の周波数リソース・グループの各々におけるパイロット信号を取得するステップと、
前記受信装置により、他の周波数リソース・グループの各々に対応するパイロット信号グループのＣＱＩ値を測定するステップと、
前記第１の周波数リソース・グループに対応する前記パイロット信号グループの前記ＣＱＩ値および他の周波数リソース・グループの各々に対応する前記パイロット信号グループの前記ＣＱＩ値を各周波数領域の１群のＣＱＩ値として使用するステップと、
を含む、請求項７に記載の方法。
【請求項１０】
前記送信装置が送信したパイロット信号を受信装置により受信するステップは、前記受信装置により広帯域パイロット信号を受信するステップであって、前記広帯域パイロット信号は前記送信装置により前記帯域幅周波数で送信されるステップを含み、
前記受信装置により、前記パイロット信号を測定することによって、前記パイロット信号を送信するためのチャネルのチャネル情報を前記送信装置にフィードバックして、前記送信装置が前記送信装置の帯域幅周波数を前記チャネル情報に従って分割するようにするステップは、
前記受信装置により、周波数間隔に従って前記広帯域パイロット信号を前記帯域幅周波数で分割して、周波数領域において１群のサブパイロット信号を取得するステップであって、各サブパイロット信号は前記帯域幅周波数上の１つの周波数領域に対応するステップと、
前記受信装置により、各周波数領域に対応するサブパイロット信号のチャネル状態情報ＣＳＩ値を測定するステップと、
前記受信装置により、前記周波数領域に対応する前記サブパイロット信号の前記ＣＳＩ値を閾値範囲と比較し、比較結果を前記送信装置にフィードバックして、前記送信装置が前記周波数領域を前記比較結果に従って分割するようにするステップと、
を含む、請求項６に記載の方法。
【請求項１１】
前記受信装置により、前記周波数領域に対応する前記サブパイロット信号の前記ＣＳＩ値を閾値範囲と比較し、比較結果を前記送信装置にフィードバックして、前記送信装置が前記周波数領域を前記比較結果に従って分割するようにするステップは、前記受信装置により、前記周波数領域に対応する前記サブパイロット信号の前記ＣＳＩ値が属する閾値範囲を決定し、前記閾値範囲の量子化値を前記受信装置にフィードバックして、前記送信装置が前記量子化値に対応する周波数領域分割方式で前記周波数領域を分割するようにするステップを含む、請求項１０に記載の方法。
【請求項１２】
パイロット信号を受信装置に送信するように構成された送信ユニットと、
前記パイロット信号を送信するためのチャネルのチャネル情報を受信するように構成されたチャネル情報受信ユニットであって、前記チャネル情報は前記受信装置によりフィードバックされ、前記チャネル情報は前記送信ユニットにより送信された前記パイロット信号を測定した後に前記受信装置により得られた情報である、チャネル情報受信ユニットと、
前記送信装置の帯域幅周波数を前記チャネル情報に従って分割するように構成された構成ユニットと、
を備える、送信装置。
【請求項１３】
前記送信ユニットは、パイロット信号を各事前分割された周波数領域で前記受信装置に送信するように構成された第１の送信サブユニットであって、全ての周波数領域は前記送信装置の前記帯域幅周波数を形成する、第１の送信サブユニットを備え、
前記チャネル情報受信ユニットは、前記受信装置によりフィードバックされた各周波数領域の１群のＣＱＩ値を受信するように構成された第１のチャネル情報受信サブユニットであって、前記周波数領域の前記１群の前記ＣＱＩ値は前記受信装置により測定されたＣＱＩ値であり、前記周波数領域内の前記第１の送信ユニットの各周波数リソース・グループに対応し、周波数リソース・グループは異なる数のサブキャリアで前記パイロット信号を運搬する、第１のチャネル情報受信サブユニットを備え、
前記構成ユニットは、
前記周波数リソース・グループに対応する前記ＣＱＩ値から最大ＣＱＩ値を取得するように構成されたＣＱＩ取得サブユニットと、
前記ＣＱＩ取得サブユニットにより取得された前記最大ＣＱＩ値に対応するサブキャリアの数に従って前記周波数領域を分割するように構成された第１の周波数分割サブユニットと、
備える、請求項１２に記載の装置。
【請求項１４】
前記第１の送信サブユニットは特に、それに応じて各周波数領域内のＮ個のパイロット信号グループをＮ個の周波数リソース・グループに従って送信するように構成され、前記Ｎ個の周波数リソース・グループは、前記周波数領域を異なる数のサブキャリアに従って分割することによって前記送信装置により取得されたグループであり、Ｎは自然数であり、周波数リソース・グループ内のサブキャリアは対応するパイロット信号グループを運搬するか、または、各周波数領域内の１個のパイロット信号グループを第１の周波数リソース・グループに含まれるサブキャリアで送信するように構成され、前記第１の周波数リソース・グループは、前記周波数領域を異なる数のサブキャリアに従って分割することによって前記送信装置により取得された前記Ｎ個の周波数リソース・グループにおいて最大数のキャリアを有する周波数リソース・グループである、請求項１３に記載の装置。
【請求項１５】
前記送信ユニットは、広帯域パイロット信号を前記送信装置の前記帯域幅周波数で前記受信装置に送信するように構成された第２の送信サブユニットを備え、
前記チャネル情報受信ユニットは、前記受信装置が各周波数領域に対応するサブパイロット信号のＣＳＩ値を測定し前記周波数領域に対応する前記サブパイロット信号の前記ＣＳＩ値を閾値範囲と比較した後に前記受信装置により前記送信装置にフィードバックされた比較結果を受信するように構成された第２のチャネル情報受信サブユニットであって、前記周波数領域に対応する前記サブパイロット信号は、前記受信装置が、周波数間隔に従って前記広帯域パイロット信号を前記帯域幅周波数で分割した後に取得された各分割された周波数領域に対応するサブパイロット信号であり、前記広帯域パイロット信号は前記第２の送信サブユニットにより送信され、各サブパイロット信号は前記帯域幅周波数上の１つの周波数領域に対応する、第２のチャネル情報受信サブユニットを備え、
前記構成ユニットは、前記受信装置によりフィードバックされ前記第２のチャネル情報受信サブユニットにより受信される前記比較結果に従って前記帯域幅周波数の各周波数領域を分割するように構成された第２の周波数分割サブユニットを備える、
請求項１２に記載の装置。
【請求項１６】
前記受信装置によりフィードバックされ前記第２のチャネル情報受信サブユニットにより受信される前記比較結果は特に閾値範囲の量子化値であり、前記閾値範囲の前記量子化値は、前記受信装置が前記周波数領域に対応する前記サブパイロット信号の前記ＣＳＩ値が属する閾値範囲を決定した後に前記送信装置にフィードバックされた量子化値であり、
前記第２の周波数分割サブユニットは特に、前記閾値範囲の前記受信した量子化値に対応する周波数領域分割方式で前記周波数領域を分割するように構成された、
請求項１５に記載の装置。
【請求項１７】
送信装置により送信されたパイロット信号を受信するように構成されたパイロット信号受信ユニットと、
前記パイロット信号受信ユニットにより受信された前記パイロット信号を測定することによって、前記パイロット信号を送信するためのチャネルのチャネル情報を前記送信装置にフィードバックし、前記送信装置が前記送信装置の帯域幅周波数を前記チャネル情報に従って分割するようにするように構成されたフィードバック・ユニットと、
を備える、受信装置。
【請求項１８】
前記パイロット信号受信ユニットは、パイロット信号を受信するように構成された第１のパイロット信号受信サブユニットであって、前記パイロット信号は前記送信装置により各事前分割された周波数領域で送信され、全ての周波数領域は前記送信装置の前記帯域幅周波数を形成する第１のパイロット信号受信サブユニットを備え、
前記フィードバック・ユニットは、
前記送信装置の各周波数リソース・グループに対応するＣＱＩ値を各周波数領域で測定するように構成されたＣＱＩ測定サブユニットであって、周波数リソース・グループは異なる数のサブキャリアで前記パイロット信号を運搬するＣＱＩ測定サブユニットと、
前記ＣＱＩ測定サブユニットにより測定され前記周波数リソース・グループに対応する前記ＣＱＩ値を前記送信装置にフィードバックして、前記送信装置が最大ＣＱＩ値を前記周波数リソース・グループに対応する前記ＣＱＩ値から取得し前記周波数領域を前記最大ＣＱＩ値に対応するサブキャリアの数に従って分割するようにするように構成されたＣＱＩフィードバック・サブユニットと、
を備える、請求項１７に記載の装置。
【請求項１９】
前記第１のパイロット信号受信サブユニットは特に、Ｎ個のパイロット信号グループを受信するように構成され、前記Ｎ個のパイロット信号グループはそれに応じて、Ｎ個の周波数リソース・グループに従って、前記送信装置により各周波数領域で送信され、前記Ｎ個の周波数リソース・グループは、前記周波数領域を異なる数のサブキャリアに従って分割することによって前記送信装置により取得されたグループであり、Ｎは自然数であり、各周波数リソース・グループ内のサブキャリアは対応するパイロット信号グループを運搬し、
前記ＣＱＩ測定サブユニットは特に、前記Ｎ個のパイロット信号グループを前記第１のパイロット信号受信サブユニットにより受信された前記周波数領域でそれぞれ測定して、各周波数領域のＮ個のＣＱＩ値を取得するように構成された、
請求項１８に記載の装置。
【請求項２０】
前記第１のパイロット信号受信サブユニットは特に、１個のパイロット信号グループを受信するように構成され、前記パイロット信号グループは、第１の周波数リソース・グループに含まれるサブキャリアを介して、前記送信装置により各周波数領域で送信され、前記第１の周波数リソース・グループは、前記周波数領域を異なる数のサブキャリアに従って分割することによって前記送信装置により取得された前記Ｎ個の周波数リソース・グループにおいて最大数のキャリアを有する周波数リソース・グループであり、
前記ＣＱＩ測定サブユニットは特に、前記第１の周波数リソース・グループに対応する前記パイロット信号グループ内の全てのパイロット信号のＣＱＩ値を測定し、全ての前記パイロット信号の前記ＣＱＩ値の和を前記パイロット信号グループのＣＱＩ値として使用し、前記パイロット信号グループ内の前記パイロット信号を周波数領域で結合することによって前記Ｎ個の周波数リソース・グループ内の前記第１の周波数リソース・グループ以外の周波数リソース・グループの各々におけるパイロット信号を取得し、他の周波数リソース・グループの各々に対応するパイロット信号グループのＣＱＩ値を測定し、前記第１の周波数リソース・グループに対応する前記パイロット信号グループの前記ＣＱＩ値と他の周波数リソース・グループの各々に対応する前記パイロット信号グループの前記ＣＱＩ値を各周波数領域の１群のＣＱＩ値として使用するように構成された、
請求項１８に記載の装置。
【請求項２１】
前記パイロット信号受信ユニットは、広帯域パイロット信号を受信するように構成された第２のパイロット信号受信サブユニットであって、前記広帯域パイロット信号は前記送信装置により前記帯域幅周波数で送信される第２のパイロット信号受信サブユニットを備え、
前記フィードバック・ユニットは、
前記広帯域パイロット信号を前記帯域幅周波数で周波数間隔に従って分割するように構成された信号分割サブユニットであって、前記広帯域パイロット信号は、周波数領域において１群のサブパイロット信号を取得するために前記第２のパイロット信号受信サブユニットにより受信され、各サブパイロット信号は前記帯域幅周波数上の１つの周波数領域に対応する、信号分割サブユニットと、
前記信号分割サブユニットにより分割された各周波数領域に対応するサブパイロット信号のＣＳＩ値を測定するように構成されたＣＳＩ測定サブユニットと、
前記周波数領域に対応する前記サブパイロット信号の前記ＣＳＩ値を閾値範囲と比較し、比較結果を前記送信装置にフィードバックして、前記送信装置が前記周波数領域を前記比較結果に従って分割するようにするように構成された結果フィードバック・サブユニットであって、前記ＣＳＩ値は前記ＣＳＩ測定サブユニットにより測定される、結果フィードバック・サブユニットと、
を備える、請求項１７に記載の装置。
【請求項２２】
前記結果フィードバック・サブユニットは特に、前記周波数領域に対応する前記サブパイロット信号の前記ＣＳＩ値が属する閾値範囲を決定し、前記閾値範囲の量子化値を前記送信装置にフィードバックして、前記送信装置が前記量子化値に対応する周波数領域分割方式で前記周波数領域を分割するようにするように構成された、請求項２１に記載の装置。
【請求項２３】
送信装置と受信装置を備えた通信システムであって、
前記送信装置は、パイロット信号を前記受信装置に送信するように構成され、
前記受信装置は、前記パイロット信号を測定することによって前記パイロット信号を送信するためのチャネルのチャネル情報を前記送信装置にフィードバックするように構成され、
前記送信装置はさらに、前記送信装置の帯域幅周波数を前記チャネル情報に従って分割するように構成された、
通信システム。
【請求項２４】
前記送信装置は特に、パイロット信号を各事前分割された周波数領域で前記受信装置に送信し、全ての周波数領域は前記送信装置の前記帯域幅周波数を形成するように構成され、
前記受信装置は特に、前記送信装置の各周波数リソース・グループに対応するＣＱＩ値を各周波数領域で測定し、前記周波数リソース・グループに対応する前記ＣＱＩ値を前記送信装置にフィードバックし、前記送信装置が最大ＣＱＩ値を前記周波数リソース・グループに対応する前記ＣＱＩ値から取得し、前記周波数領域を前記最大ＣＱＩ値に対応するサブキャリアの数に従って分割するようにするように構成され、周波数リソース・グループは異なる数のサブキャリアで前記パイロット信号を運搬し、
前記送信装置は特に、前記最大ＣＱＩ値を前記周波数リソース・グループに対応する前記ＣＱＩ値から取得し、前記最大ＣＱＩ値に対応する前記サブキャリアの数に従って前記周波数領域を分割するようにさらに構成された、
請求項２３に記載の通信システム。
【請求項２５】
前記送信装置は特に、広帯域パイロット信号を前記受信装置に前記帯域幅周波数で送信するように構成され、
前記受信装置は特に、前記広帯域パイロット信号を前記帯域幅周波数で周波数間隔に従って分割して周波数領域において１群のサブパイロット信号を取得し、前記周波数領域に対応する前記サブパイロット信号の前記ＣＳＩ値を閾値範囲と比較し、比較結果を前記送信装置にフィードバックするように構成され、各サブパイロット信号は前記帯域幅周波数上の１つの周波数領域に対応し、
前記送信装置は特に、前記帯域幅周波数の各周波数領域を前記受信装置によりフィードバックされた前記比較結果に従って分割するようにさらに構成された、
請求項２３に記載の通信システム。
【請求項２６】
パイロット信号を受信装置に送信するように構成された無線送信器と、
前記パイロット信号を送信するためのチャネルのチャネル情報を受信した後に、前記送信装置の帯域幅周波数を前記チャネル情報に従って分割するように構成されたプロセッサであって、前記チャネル情報は前記受信装置によりフィードバックされ、前記チャネル情報は前記パイロット信号を測定した後に前記受信装置により得られた情報である、プロセッサと、
を備える、送信装置。
【請求項２７】
前記無線送信器は特に、パイロット信号を各事前分割された周波数領域で前記受信装置に送信するように構成され、全ての周波数領域は前記送信装置の前記帯域幅周波数を形成し、
前記プロセッサは特に、前記受信装置によりフィードバックされた各周波数領域の１群のＣＱＩ値、前記周波数領域内の各周波数リソース・グループに対応するＣＱＩ値、および前記周波数リソース・グループを受信し、前記周波数リソース・グループに対応する前記１群のＣＱＩ値から最大ＣＱＩ値を取得し、前記最大ＣＱＩ値に対応するサブキャリアの数に従って前記周波数領域を分割するように構成された、
請求項２６に記載の送信装置。
【請求項２８】
前記無線送信器は特に、広帯域パイロット信号を前記受信装置に前記帯域幅周波数で送信するように構成され、
前記プロセッサは特に、前記受信装置が各周波数領域に対応するサブパイロット信号のＣＳＩ値を測定し前記周波数領域に対応する前記サブパイロット信号の前記ＣＳＩ値を閾値範囲と比較した後に前記受信装置により前記送信装置にフィードバックされた比較結果を受信し、前記帯域幅周波数の各周波数領域を前記受信装置によりフィードバックされた前記比較結果に従って分割するように構成され、前記周波数領域に対応する前記サブパイロット信号は、前記受信装置が、周波数間隔に従って前記広帯域パイロット信号を前記帯域幅周波数で分割した後に取得された各分割された周波数領域に対応するサブパイロット信号であり、各サブパイロット信号は前記帯域幅周波数上の１つの周波数領域に対応する、
請求項２６に記載の送信装置。
【請求項２９】
送信装置により送信されたパイロット信号を受信するように構成された無線受信器と、
前記パイロット信号を測定することによって前記パイロット信号を送信するためのチャネルのチャネル情報を前記送信装置にフィードバックして、前記送信装置が前記送信装置の帯域幅周波数を前記チャネル情報に従って分割するようにするように構成されたプロセッサと、
を備える、受信装置。
【請求項３０】
前記無線受信器は特に、パイロット信号を受信するように構成され、前記パイロット信号は前記送信装置により各事前分割された周波数領域で送信され、全ての周波数領域は前記送信装置の前記帯域幅周波数を形成し、
前記プロセッサは特に、前記送信装置の各周波数リソース・グループに対応するＣＱＩ値を各周波数領域で測定するように構成され、周波数リソース・グループは異なる数のサブキャリアで前記パイロット信号を運搬し、前記周波数リソース・グループに対応する前記ＣＱＩ値を前記送信装置にフィードバックし、その結果、前記送信装置が最大ＣＱＩ値を前記周波数リソース・グループに対応する前記ＣＱＩ値から取得して、前記周波数領域を前記最大ＣＱＩ値に対応するサブキャリアの数に従って分割する、
請求項２９に記載の装置。
【請求項３１】
前記無線受信器は特に、広帯域パイロット信号を受信ように構成され、前記広帯域パイロット信号は前記送信装置により前記帯域幅周波数で送信され、
前記プロセッサは特に、前記広帯域パイロット信号を前記帯域幅周波数で周波数間隔に従って分割して周波数領域において１群のサブパイロット信号を取得し、各周波数領域に対応するサブパイロット信号のチャネル状態情報ＣＳＩ値を測定し、前記周波数領域に対応する前記サブパイロット信号の前記ＣＳＩ値を閾値範囲と比較し、比較結果を前記送信装置にフィードバックして、前記送信装置が前記周波数領域を前記比較結果に従って分割するようにするように構成され、各サブパイロット信号は前記帯域幅周波数上の１つの周波数領域に対応する、
請求項２９に記載の装置。
【発明の詳細な説明】
【技術分野】
【０００１】
本発明は通信技術の分野に関し、特に、適合的周波数領域リソース構成方法、装置、および通信システムに関する。
【背景技術】
【０００２】
直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）は一種のマルチキャリア変調技術であり、ロング・ターム・エボリューション（ｌｏｎｇ  ｔｅｒｍ  ｅｖｏｌｕｔｉｏｎ、ＬＴＥ）またはワイマックス（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ、ＷＩＭＡＸ）のような既存の通信システムは全てＯＦＤＭ技術を使用している。Ｍ個のシリアル信号（Ｍは自然数）が当該通信システムの送信器側で入力され、シリアル・パラレル変換が当該Ｍ個のシリアル信号に実施されてＭ個のパラレル信号を出力し、当該Ｍ個のパラレル信号がＭ個のサブ変調器で変調された後に、Ｍ個のサブキャリアが運搬するＭ個のパラレル信号が出力され、当該Ｍ個のサブキャリアが運搬するＭ個のパラレル信号は同一の周波数領域リソースでそれぞれ構成され、Ｍ個のチャネルで送信される。図１Ａは、先行技術の周波数領域におけるサブキャリアの略図であり、当該サブキャリアは当該周波数領域において正弦（ｓｉｎｃ）スペクトルとして提供され、当該サブキャリアの周波数領域帯域幅は２Δｆであり、間隔はΔｆであり、対応する時間領域リソースはＴ＝１／Δｆである。以上から分かるように、先行技術のサブキャリアは固定周波数領域リソースと固定時間領域リソースを有する。
【０００３】
既存の通信システムでは、送信器側が、当該システムの事前構成に従って同一のサイズのサブキャリアの周波数領域リソースを割り当てる。図１Ｂは当該周波数領域における１群のサブキャリアの略図であり、５つのサブキャリアが示されている。当該システムが同一の周波数領域リソースをサブキャリアごとに構成するので、固定周波数帯域幅の間隔が２つの隣接サブキャリアの間に存在する。図１Ｂに示すように、この固定周波数帯域幅の間隔はΔｆである。
【発明の概要】
【発明が解決しようとする課題】
【０００４】
先行技術を研究する過程で、サブキャリアを送信するためのチャネルの応答が異なるため異なるエクステント（ｅｘｔｅｎｔ）への周波数シフトが当該送信プロセスにおいて当該サブキャリアに発生する可能性があり、当該サブキャリアの振幅が異なるエクステントに減衰する可能性があることを発明者は発見した。サイズが固定された周波数間隔をサブキャリア間で構成するとき、特に、サイズが固定された周波数間隔が相対的に狭いとき、２つの隣接サブキャリアの間の周波数帯域幅の間隔も相対的に狭い。したがって、当該送信プロセスでは、サブキャリアが周波数シフトのため重複する可能性があり、システムが直交性を失い、当該システムが最大スペクトル効率を達成するのが困難になり、当該通信システムの性能に影響を及ぼす。
【課題を解決するための手段】
【０００５】
本発明の諸実施形態では、通信システムが固定周波数領域リソースをサブキャリアごとに構成し、当該システムの低スペクトル効率をもたらし当該通信システムの性能に影響を及ぼすという先行技術における課題を解決するための、適合的周波数領域リソース構成方法、装置、および通信システムを提供する。
【０００６】
前述の技術的課題を解決するため本発明の諸実施形態では以下の技術的解決策を開示する。
【０００７】
１態様では、適合的周波数領域リソース構成方法を提供する。当該方法は送信装置によりパイロット信号を受信装置に送信するステップと、送信装置により、当該パイロット信号を送信するためのチャネルのチャネル情報を受信するステップであって、当該チャネル情報は受信装置によりフィードバックされ、当該チャネル情報は当該パイロット信号を測定した後に受信装置により得られた情報であるステップと、送信装置により、当該チャネル情報に従って送信装置の帯域幅周波数を分割するステップとを含む。
【０００８】
可能な実装方式では、送信装置によりパイロット信号を受信装置に送信するステップは、送信装置により、パイロット信号を受信装置に各事前分割された周波数領域で送信するステップであって、全ての周波数領域は送信装置の帯域幅周波数を形成するステップを含み、送信装置により、当該パイロット信号を送信するためのチャネルのチャネル情報を受信するステップであって、当該チャネル情報は受信装置によりフィードバックされるステップは、送信装置により、受信装置によりフィードバックされた各周波数領域の１群のチャネル品質インジケータＣＱＩ値を受信するステップであって、当該周波数領域の１群のＣＱＩ値は受信装置により測定されたＣＱＩ値であり、当該周波数領域での送信装置の各周波数リソース・グループに対応し、周波数リソース・グループは異なる数のサブキャリアで当該パイロット信号を運搬するステップを含み、当該チャネル情報に従って送信装置の帯域幅周波数を分割するステップは、最大ＣＱＩ値を当該周波数リソース・グループに対応するＣＱＩ値から取得するステップと、当該周波数領域を最大ＣＱＩ値に対応するサブキャリアの数に従って分割するステップとを含む。
【０００９】
別の可能な実装方式では、送信装置によりパイロット信号を受信装置に送信するステップは、送信装置により、広帯域パイロット信号を当該帯域幅周波数で受信装置に送信するステップを含み、送信装置により、当該パイロット信号を送信するためのチャネルのチャネル情報を受信するステップであって、当該チャネル情報は当該パイロット信号を測定した後に受信装置によりフィードバックされるステップは、受信装置が各周波数領域に対応するサブパイロット信号のチャネル状態情報ＣＳＩ値を測定し、当該周波数領域に対応するサブパイロット信号のＣＳＩ値を閾値範囲と比較した後、送信装置により、受信装置により送信装置にフィードバックされた比較結果を受信するステップであって、当該周波数領域に対応するサブパイロット信号は、受信装置が周波数間隔に従って当該広帯域パイロット信号を当該帯域幅周波数で分割した後に取得された夫々の分割された周波数領域に対応するサブパイロット信号であり、各サブパイロット信号は当該帯域幅周波数上の１つの周波数領域に対応するステップを含み、当該チャネル情報に従って送信装置の帯域幅周波数を分割するステップは、受信装置によりフィードバックされた比較結果に従って当該帯域幅周波数の各周波数領域を分割するステップを含む。
【００１０】
１態様では、適合的周波数領域リソース構成方法を提供する。当該方法は、送信装置が送信したパイロット信号を受信装置により受信するステップと、受信装置により、当該パイロット信号を測定することで当該パイロット信号を送信するためのチャネルのチャネル情報を送信装置にフィードバックして、送信装置が当該送信装置の帯域幅周波数を当該チャネル情報に従って分割するようにするステップとを含む。
【００１１】
可能な実装方式では、送信装置が送信したパイロット信号を受信装置により受信するステップは、受信装置によりパイロット信号を受信するステップであって、当該パイロット信号は送信装置により各事前分割された周波数領域で送信され、全ての周波数領域は送信装置の帯域幅周波数を形成するステップを含み、受信装置により、パイロット信号を測定することで当該パイロット信号を送信するためのチャネルのチャネル情報を送信装置にフィードバックして、送信装置が当該送信装置の帯域幅周波数を当該チャネル情報に従って分割するようにするステップは、受信装置により、送信装置の各周波数リソース・グループに対応するＣＱＩ値を各周波数領域で測定するステップであって、周波数リソース・グループは異なる数のサブキャリアで当該パイロット信号を運搬するステップと、受信装置により、当該周波数リソース・グループに対応するＣＱＩ値を送信装置にフィードバックして、送信装置が最大ＣＱＩ値を当該周波数リソース・グループに対応するＣＱＩ値から取得し当該周波数領域を最大ＣＱＩ値に対応するサブキャリアの数に従って分割するようにするステップとを含む。
【００１２】
別の可能な実装方式では、送信装置が送信したパイロット信号を受信装置により受信するステップは、受信装置により広帯域パイロット信号を受信するステップであって、当該広帯域パイロット信号は送信装置により当該帯域幅周波数で送信されるステップを含み、受信装置により、当該パイロット信号を測定することで当該パイロット信号を送信するためのチャネルのチャネル情報を送信装置にフィードバックして、送信装置が当該送信装置の帯域幅周波数を当該チャネル情報に従って分割するようにするステップは、受信装置により、周波数間隔に従って当該広帯域パイロット信号を当該帯域幅周波数で分割して、周波数領域において１群のサブパイロット信号を取得するステップであって、各サブパイロット信号は当該帯域幅周波数上の１つの周波数領域に対応するステップと、受信装置により、各周波数領域に対応するサブパイロット信号のチャネル状態情報ＣＳＩ値を測定するステップと、受信装置により、当該周波数領域に対応するサブパイロット信号のＣＳＩ値を閾値範囲と比較し、比較結果を送信装置にフィードバックして、送信装置が当該周波数領域を当該比較結果に従って分割するようにするステップとを含む。
【００１３】
別の態様では、パイロット信号を受信装置に送信するように構成された送信ユニットと、当該パイロット信号を送信するためのチャネルのチャネル情報を受信するように構成されたチャネル情報受信ユニットであって、当該チャネル情報は受信装置によりフィードバックされ、当該チャネル情報は当該パイロット信号を測定した後に受信装置により得られた情報であるチャネル情報受信ユニットと、送信装置の帯域幅周波数を当該チャネル情報に従って分割するように構成された構成ユニットとを備えた送信装置を提供する。
【００１４】
可能な実装方式では、当該送信ユニットは、パイロット信号を各事前分割された周波数領域で受信装置に送信するように構成された第１の送信サブユニットであって、全ての周波数領域は送信装置の帯域幅周波数を形成する第１の送信サブユニットを備え、当該チャネル情報受信ユニットは、受信装置によりフィードバックされた各周波数領域の１群のＣＱＩ値を受信するように構成された第１のチャネル情報受信サブユニットであって、当該周波数領域の１群のＣＱＩ値は受信装置により測定されたＣＱＩ値であり、当該周波数領域内の当該第１の送信ユニットの各周波数リソース・グループに対応し、周波数リソース・グループは異なる数のサブキャリアで当該パイロット信号を運搬する、第１のチャネル情報受信サブユニットを備え、当該構成ユニットは、当該周波数リソース・グループに対応するＣＱＩ値から最大ＣＱＩ値を取得するように構成されたＣＱＩ取得サブユニットと、当該ＣＱＩ取得サブユニットにより取得された最大ＣＱＩ値に対応するサブキャリアの数に従って周波数領域を分割するように構成された第１の周波数分割サブユニットとを備える。
【００１５】
別の可能な実装方式では、当該送信ユニットは、広帯域パイロット信号を送信装置の帯域幅周波数で受信装置に送信するように構成された第２の送信サブユニットを備え、当該チャネル情報受信ユニットは、受信装置が各周波数領域に対応するサブパイロット信号のＣＳＩ値を測定し当該周波数領域に対応するサブパイロット信号のＣＳＩ値を閾値範囲と比較した後に受信装置により送信装置にフィードバックされた比較結果を受信するように構成された第２のチャネル情報受信サブユニットであって、当該周波数領域に対応するサブパイロット信号は、受信装置が周波数間隔に従って当該広帯域パイロット信号を当該帯域幅周波数で分割した後に取得された各分割された周波数領域に対応するサブパイロット信号であり、当該広帯域パイロット信号は当該第２の送信サブユニットにより送信され、各サブパイロット信号は当該帯域幅周波数上の１つの周波数領域に対応する、第２のチャネル情報受信サブユニットを備え、当該構成ユニットは、受信装置によりフィードバックされ当該第２のチャネル情報受信サブユニットにより受信される当該比較結果に従って当該帯域幅周波数の各周波数領域を分割するように構成された第２の周波数分割サブユニットを備える。
【００１６】
別の態様では、送信装置により送信されたパイロット信号を受信するように構成されたパイロット信号受信ユニットと、当該受信ユニットにより受信された当該パイロット信号を測定することによって、当該パイロット信号を送信するためのチャネルのチャネル情報を送信装置にフィードバックして、送信装置が当該送信装置の帯域幅周波数を当該チャネル情報に従って分割するようにするように構成されたフィードバック・ユニットとを備えた受信装置を提供する。
【００１７】
可能な実装方式では、当該パイロット信号受信ユニットは、パイロット信号を受信するように構成された第１のパイロット信号受信サブユニットであって、当該パイロット信号は送信装置により各事前分割された周波数領域で送信され、全ての周波数領域は送信装置の帯域幅周波数を形成する第１のパイロット信号受信サブユニットを備え、当該フィードバック・ユニットは、送信装置の各周波数リソース・グループに対応するＣＱＩ値を各周波数領域で測定するように構成されたＣＱＩ測定サブユニットであって、周波数リソース・グループは異なる数のサブキャリアで当該パイロット信号を運搬するＣＱＩ測定サブユニットと、当該ＣＱＩ測定サブユニットにより測定され当該周波数リソース・グループに対応するＣＱＩ値を送信装置にフィードバックし、送信装置が最大ＣＱＩ値を当該周波数リソース・グループに対応するＣＱＩ値から取得し、当該周波数領域を最大ＣＱＩ値に対応するサブキャリアの数に従って分割するように構成されたＣＱＩフィードバック・サブユニットとを備える。
【００１８】
別の可能な実装方式では、当該パイロット信号受信ユニットは、広帯域パイロット信号を受信するように構成された第２のパイロット信号受信サブユニットであって、当該広帯域パイロット信号は送信装置により当該帯域幅周波数で送信される第２のパイロット信号受信サブユニットを備え、当該フィードバック・ユニットは、当該広帯域パイロット信号を当該帯域幅周波数で周波数間隔に従って分割するように構成された信号分割サブユニットであって、当該広帯域パイロット信号は、周波数領域において１群のサブパイロット信号を取得するために当該第２のパイロット信号受信サブユニットにより受信され、各サブパイロット信号は当該帯域幅周波数上の１つの周波数領域に対応する信号分割サブユニットと、当該信号分割サブユニットにより分割された各周波数領域に対応するサブパイロット信号のＣＳＩ値を測定するように構成されたＣＳＩ測定サブユニットと、当該周波数領域に対応するサブパイロット信号のＣＳＩ値を閾値範囲と比較し、比較結果を送信装置にフィードバックして、送信装置が当該周波数領域を当該比較結果に従って分割するようにするように構成された結果フィードバック・サブユニットであって、当該ＣＳＩ値は当該ＣＳＩ測定サブユニットにより測定される結果フィードバック・サブユニットとを備える。
【００１９】
さらに別の態様では、送信装置と受信装置を備えた通信システムを提供する。当該送信装置はパイロット信号を受信装置に送信するように構成され、当該受信装置は、当該パイロット信号を測定することによって当該パイロット信号を送信するためのチャネルのチャネル情報を送信装置にフィードバックするように構成され、当該送信装置はさらに、送信装置の帯域幅周波数を当該チャネル情報に従って分割するように構成される。
【００２０】
可能な実装方式では、送信装置は特に、パイロット信号を各事前分割された周波数領域で受信装置に送信するように構成され、全ての周波数領域は送信装置の帯域幅周波数を形成し、受信装置は特に、送信装置の各周波数リソース・グループに対応するＣＱＩ値を各周波数領域で測定し、当該周波数リソース・グループに対応するＣＱＩ値を送信装置にフィードバックして、送信装置が最大ＣＱＩ値を当該周波数リソース・グループに対応するＣＱＩ値から取得し、当該周波数領域を最大ＣＱＩ値に対応するサブキャリアの数に従って分割するようにするように構成され、周波数リソース・グループは異なる数のサブキャリアで当該パイロット信号を運搬し、送信装置は特に、最大ＣＱＩ値を当該周波数リソース・グループに対応するＣＱＩ値から取得し、最大ＣＱＩ値に対応するサブキャリアの数に従って周波数領域を分割するようにさらに構成される。
【００２１】
別の可能な実装方式では、送信装置は特に広帯域パイロット信号を受信装置に当該帯域幅周波数で送信するように構成され、受信装置は特に、当該広帯域パイロット信号を当該帯域幅周波数で周波数間隔に従って分割して周波数領域において１群のサブパイロット信号を取得し、当該周波数領域に対応するサブパイロット信号のＣＳＩ値を閾値範囲と比較し、比較結果を送信装置にフィードバックするように構成され、各サブパイロット信号は当該帯域幅周波数上の１つの周波数領域に対応し、送信装置は特に、当該帯域幅周波数の各周波数領域を受信装置によりフィードバックされた比較結果に従って分割するようにさらに構成される。
【００２２】
さらに別の態様では、パイロット信号を受信装置に送信するように構成された無線送信器と、当該パイロット信号を送信するためのチャネルのチャネル情報を受信した後に、送信装置の帯域幅周波数を当該チャネル情報に従って分割するように構成されたプロセッサであって、当該チャネル情報は受信装置によりフィードバックされ、当該チャネル情報は当該パイロット信号を測定した後に受信装置により得られた情報であるプロセッサとを備えた送信装置を提供する。
【００２３】
可能な実装方式では、当該無線送信器は特に、パイロット信号を各事前分割された周波数領域で受信装置に送信するように構成され、全ての周波数領域は送信装置の帯域幅周波数を形成し、当該プロセッサは特に、受信装置によりフィードバックされた各周波数領域の１群のＣＱＩ値、当該周波数領域内の各周波数リソース・グループに対応するＣＱＩ値、および周波数リソース・グループを受信し、当該周波数リソース・グループに対応する当該１群のＣＱＩ値から最大ＣＱＩ値を取得し、最大ＣＱＩ値に対応するサブキャリアの数に従って周波数領域を分割するように構成される。
【００２４】
別の可能な実装方式では、当該無線送信器は特に広帯域パイロット信号を受信装置に当該帯域幅周波数で送信するように構成され、当該プロセッサは特に、受信装置が各周波数領域に対応するサブパイロット信号のＣＳＩ値を測定し当該周波数領域に対応するサブパイロット信号のＣＳＩ値を閾値範囲と比較した後に受信装置により送信装置にフィードバックされた比較結果を受信し、当該帯域幅周波数の各周波数領域を受信装置によりフィードバックされた比較結果に従って分割するように構成され、当該周波数領域に対応するサブパイロット信号は、受信装置が、周波数間隔に従って当該広帯域パイロット信号を当該帯域幅周波数で分割した後に取得された各分割された周波数領域に対応するサブパイロット信号であり、各サブパイロット信号は当該帯域幅周波数上の１つの周波数領域に対応する。
【００２５】
さらに別の態様では受信装置を提供する。当該受信装置は、送信装置により送信されたパイロット信号を受信するように構成された無線受信器と、当該パイロット信号を測定することによって当該パイロット信号を送信するためのチャネルのチャネル情報を送信装置にフィードバックして、送信装置が当該送信装置の帯域幅周波数を当該チャネル情報に従って分割するようにするように構成されたプロセッサとを備える。
【００２６】
可能な実装方式では、当該無線受信器は特にパイロット信号を受信するように構成され、当該パイロット信号は送信装置により各事前分割された周波数領域で送信され、全ての周波数領域は送信装置の帯域幅周波数を形成し、当該プロセッサは特に、送信装置の各周波数リソース・グループに対応するＣＱＩ値を各周波数領域で測定し、当該周波数リソース・グループに対応するＣＱＩ値を送信装置にフィードバックして、送信装置が最大ＣＱＩ値を当該周波数リソース・グループに対応するＣＱＩ値から取得し、当該周波数領域を最大ＣＱＩ値に対応するサブキャリアの数に従って分割するようにするように構成され、周波数リソース・グループは異なる数のサブキャリアで当該パイロット信号を運搬する。
【００２７】
別の可能な実装方式では、無線受信器は特に広帯域パイロット信号を受信するように構成され、当該広帯域パイロット信号は送信装置により当該帯域幅周波数で送信され、当該プロセッサは特に、当該広帯域パイロット信号を当該帯域幅周波数で周波数間隔に従って分割して周波数領域において１群のサブパイロット信号を取得し、各周波数領域に対応するサブパイロット信号のチャネル状態情報ＣＳＩ値を測定し、当該周波数領域に対応するサブパイロット信号のＣＳＩ値を閾値範囲と比較し、比較結果を送信装置にフィードバックして、送信装置が当該周波数領域を当該比較結果に従って分割するようにするように構成され、各サブパイロット信号は当該帯域幅周波数上の１つの周波数領域に対応する。
【００２８】
本発明の当該諸実施形態では、送信装置はパイロット信号を受信装置に送信し、受信装置は、当該パイロット信号を測定することによって、当該パイロット信号を送信するためのチャネルのチャネル情報を送信装置にフィードバックし、送信装置は帯域幅周波数を当該チャネル情報に従って分割する。本発明の当該諸実施形態では、受信装置が、当該受信したパイロット信号に従って当該チャネル情報を送信装置にフィードバックすることができる。その結果、送信装置が当該帯域幅周波数をチャネル品質に従って分割し、受信装置によりフィードバックされたチャネル情報に従って各サブキャリアの周波数領域リソースで適合的調整を実施でき、システムの周波数効率を高めることができ、通信システムの性能を保証することができる。
【００２９】
本発明の当該諸実施形態または先行技術の技術的解決策をより明確に説明するために、以下では当該諸実施形態または先行技術を説明するのに必要な添付図面を簡単に説明する。明らかに、以下の説明における添付図面は本発明の幾つかの諸実施形態を示すにすぎず、当業者は創造的作業なしにこれらの添付図面から他の図面を導出することができる。
【図面の簡単な説明】
【００３０】
【図１Ａ】先行技術における周波数領域内のサブキャリアの略図である。
【図１Ｂ】先行技術における周波数領域内の１群のサブキャリアの略図である。
【図２Ａ】本発明の１実施形態に従う適合的周波数領域リソース構成方法の流れ図である。
【図２Ｂ】本発明の１実施形態が適用される周波数リソース・グループ分割の略図である。
【図３】本発明の別の実施形態に従う適合的周波数領域リソース構成方法の流れ図である。
【図４】本発明の別の実施形態に従う適合的周波数領域リソース構成方法の流れ図である。
【図５】本発明の別の実施形態に従う適合的周波数領域リソース構成方法の流れ図である。
【図６Ａ】本発明の別の実施形態に従う適合的周波数領域リソース構成方法の流れ図である。
【図６Ｂ】本発明の１実施形態が適用されるパイロット信号分割と対応する周波数領域との略図である。
【図７】本発明の１実施形態に従う通信システムのブロック図である。
【図８】本発明の１実施形態に従う送信装置のブロック図である。
【図９】本発明の別の実施形態に従う送信装置のブロック図である。
【図１０】本発明の別の実施形態に従う送信装置のブロック図である。
【図１１】本発明の別の実施形態に従う送信装置のブロック図である。
【図１２】本発明の１実施形態に従う受信装置のブロック図である。
【図１３】本発明の別の実施形態に従う受信装置のブロック図である。
【図１４】本発明の別の実施形態に従う受信装置のブロック図である。
【図１５】本発明の別の実施形態に従う受信装置のブロック図である。
【図１６Ａ】本発明の１実施形態における適合的周波数領域リソース構成方法を適用する通信システムのアーキテクチャの略図である。
【図１６Ｂ】図１６Ａの通信システムにおける信号の流れの略図である。
【図１６Ｃ】本発明の１実施形態における様々な周波数領域リソースで構成されたサブキャリアの略図である。
【発明を実施するための形態】
【００３１】
以下の本発明の諸実施形態では、適合的周波数領域リソース構成方法、装置、および通信システムを提供する。
【００３２】
本発明の諸実施形態では、受信装置が、受信したパイロット信号を測定し、測定したチャネル情報を送信装置にフィードバックして、送信装置が当該チャネル情報に従って周波数領域リソースを適合的に分割するようにする。先行技術との比較において、固定周波数領域リソースはもはや各サブキャリアに割り当てられず、受信装置は送信装置によりフィードバックされたチャネル情報に従って周波数領域リソースをサブキャリアに対して適合的に構成し、各サブキャリアのスペクトル利用率を最大化することができる。したがって、サブキャリアごとに固定周波数領域リソースを構成する既存の方式と比較して、当該通信システムのスペクトル効率を効果的に高めることができる。
【００３３】
さらに、本発明の当該諸実施形態では、アップリンク送信に関して、送信装置を端末側で設定してもよく、受信装置を基地局側で設定してもよく、ダウンリンク送信に関して、送信装置を基地局側で設定してもよく、受信装置を端末側で設定してもよい。
【００３４】
さらに、本発明の当該諸実施形態の通信システムはもはや固定周波数領域リソースを各サブキャリアに割り当てない。例えば、非理想的なサイズの周波数領域リソースをサブキャリアに割り当ててもよい。即ち、不等な分割を周波数領域リソースに実施してもよい。それに応じて、不等な分割を周波数領域リソースと時間領域リソースの相互関係に従って時間領域リソースに実施してもよい。即ち、当該サブキャリアが、異なる解像度の周波数領域リソースと時間領域リソースに関係してもよい。各サブキャリアに割り当てた時間周波数リソースに関して、周波数領域のリソースの解像度が増えると、時間領域のリソースの解像度がそれに応じて減少する。逆に、周波数領域のリソースの解像度が減ると、時間領域のリソースの解像度がそれに応じて増大する。
【００３５】
当業者が本発明の諸実施形態の技術的解決策をより理解できるようにし、本発明の諸実施形態の前述の目的、特徴、および利点をより明確にするために、以下では添付図面を参照して本発明の諸実施形態の技術的解決策をさらに詳細に説明する。
【００３６】
図２Ａを参照すると、図２Ａは、本発明の別の実施形態に従う適合的周波数領域リソース構成方法の流れ図である。当該実施形態では、周波数領域リソース構成プロセスを通信システムの送信装置側から説明する。
【００３７】
ステップ２０１で、送信装置がパイロット信号を受信装置に送信する。送信装置が当該パイロット信号を以下の２つの方式で送信してもよい。
【００３８】
第１の方式では、送信装置がパイロット信号を受信装置に各事前分割された周波数領域で送信する。全ての周波数領域は送信装置の帯域幅周波数を形成する。
【００３９】
当該第１の方式の任意的な実施形態では、送信装置が各周波数領域内のＮ個のパイロット信号グループをＮ個の周波数リソース・グループに従って送信してもよい。Ｎは自然数である。当該Ｎ個の周波数リソース・グループは、当該周波数領域を異なる数のサブキャリアに従って分割することによって送信装置により取得されたグループであり、各周波数リソース・グループ内のサブキャリアはパイロット信号グループを運搬するために使用される。各周波数リソース・グループ内のサブキャリアの数は各パイロット信号グループ内のパイロット信号の数と同じであってもよく、この場合、各サブキャリアは１つのパイロット信号を運搬する。
【００４０】
図２Ｂを参照する。図２Ｂは、前述の実施形態が適用される周波数リソース・グループ分割の略図である。図２Ｂを、各周波数領域が２つの周波数リソース・グループに分割される例により説明する。図２Ｂでは、帯域幅周波数全体は４つの周波数領域に分割される。当該４つの周波数領域はそれぞれ周波数領域１、周波数領域２、周波数領域３、および周波数領域４である。周波数領域２を例とし、周波数領域２が異なる数のサブキャリアに従って２つの周波数リソース・グループに分割され、第１の周波数リソース・グループが周波数領域２全体を含む周波数リソース・グループ２１であり、周波数リソース・グループ２１は１つのサブキャリアの送信に対応し、第２の周波数リソース・グループは、周波数領域２を２つのサブ領域に分割する周波数リソース・グループ２２であり、周波数リソース・グループ２２は２つのサブキャリアの送信に対応すると仮定する。図２Ｂに示す周波数リソース・グループ化方式では、なお周波数領域２を例とすると、送信装置が２つのパイロット信号グループを周波数領域２で送信する。第１のパイロット信号グループは周波数リソース・グループ２１に対応し、１つのパイロット信号は１つのサブキャリアにより運搬され、第２のパイロット信号グループは周波数リソース・グループ２２に対応し、２つのパイロット信号が２つのサブキャリアにより運搬される。
【００４１】
当該第１の方式の別の任意的な実施形態では、送信装置が各周波数領域内の１個のパイロット信号グループを第１の周波数リソース・グループに含まれるサブキャリアで送信する。当該第１の周波数リソース・グループは、当該周波数領域を異なる数のサブキャリアに従って分割することで送信装置により取得されたＮ個の周波数リソース・グループ内の最大数のキャリアを有する周波数リソース・グループである。当該第１の周波数リソース・グループに対応するパイロット信号グループ内のパイロット信号の数が当該第１の周波数リソース・グループ内のサブキャリアの数と一致してもよい。
【００４２】
図２Ｂの説明を参照すれば分かるように、送信装置の周波数領域が図２Ｂに従って周波数リソース・グループに分割されるとき、周波数領域２をなお例にとると、周波数領域２は２つの周波数リソース・グループに分割され、周波数リソース・グループ２２は２つのサブキャリアを含むことに対応し、周波数リソース・グループ２１は１つのサブキャリアを含むことに対応する。したがって、周波数リソース・グループ２２は周波数領域２における当該第１の周波数リソース・グループである。
【００４３】
第２の方式では、送信装置が広帯域パイロット信号を受信装置に当該帯域幅周波数で送信する。上の第１の方式では、帯域幅周波数全体が幾つかの周波数領域に分割され、各周波数領域をさらに異なる周波数リソース・グループに分割してもよく、当該周波数リソース・グループは異なる数のサブキャリアでパイロット信号を運搬し、当該第２の方式では、当該広帯域パイロット信号が、帯域幅周波数全体を占有し１つのサブキャリアで送信されるパイロット信号であってもよい。
【００４４】
ステップ２０２では、送信装置がパイロット信号を送信するためのチャネルのチャネル情報を受信する。当該チャネル情報は受信装置によりフィードバックされ、当該チャネル情報は当該パイロット信号を測定した後に受信装置により得られた情報である。
【００４５】
ステップ２０１において送信装置がパイロット信号を第１の方式で送信するとき、送信装置は、受信装置によりフィードバックされた各周波数領域の１群のチャネル品質インジケータ（Ｃｈａｎｎｅｌ  Ｑｕａｌｉｔｙ  Ｉｎｄｉｃａｔｏｒ、ＣＱＩ）値を受信する。当該周波数領域の１群のＣＱＩ値は受信装置により測定されたＣＱＩ値であり、当該周波数領域での送信装置の各周波数リソース・グループに対応し、周波数リソース・グループは異なる数のサブキャリアで当該パイロット信号を運搬する。
【００４６】
ステップ２０１で送信装置がパイロット信号を第２の方式で送信するとき、受信装置が各周波数領域に対応するサブパイロット信号のチャネル状態情報（Ｃｈａｎｎｅｌ  ｓｔａｔｅｍｅｎｔ  ｉｎｆｏｒｍａｔｉｏｎ、ＣＳＩ）値を測定し、当該周波数領域に対応するサブパイロット信号のＣＳＩ値を閾値範囲と比較した後、送信装置は受信装置により送信装置にフィードバックされた比較結果を受信する。当該周波数領域に対応するサブパイロット信号は、受信装置が周波数間隔に従って当該広帯域パイロット信号を当該帯域幅周波数で分割した後に取得された各分割された周波数領域に対応するサブパイロット信号である。
【００４７】
ステップ２０３では、送信装置が当該チャネル情報に従って送信装置の帯域幅周波数を分割する。
【００４８】
ステップ２０１で送信装置がパイロット信号を第１の方式で送信するとき、送信装置は周波数リソース・グループに対応する１群のＣＱＩ値から最大ＣＱＩ値を取得し、周波数領域を最大ＣＱＩ値に対応するサブキャリアの数に従って分割する。
【００４９】
ステップ２０１で送信装置がパイロット信号を第２の方式で送信するとき、送信装置は、受信装置によりフィードバックされた比較結果に従って帯域幅周波数の各周波数領域を分割する。
【００５０】
以上の実施形態から分かるように、受信装置は、受信したパイロット信号に従ってチャネル情報を送信装置にフィードバックすることができる。その結果、送信装置は、帯域幅周波数をチャネル品質に従って分割することができ、受信装置によりフィードバックされたチャネル情報に従って各サブキャリアの周波数領域リソースで適合的調整を実施することができ、その結果、システムの周波数効率を高めることができ、通信システムの性能を保証することができる。
【００５１】
図３を参照する。図３は、本発明の１実施形態に従う適合的周波数領域リソース構成方法の流れ図である。当該実施形態では、周波数領域リソース構成プロセスを通信システムの受信装置側から説明する。
【００５２】
ステップ３０１では、受信装置が、送信装置が送信したパイロット信号を受信する。
【００５３】
本発明の当該実施形態では、送信装置により送信されたパイロット信号は、データ信号の前に送信されチャネル情報の測定に使用される信号である。
【００５４】
当該実施形態では、受信装置が、送信装置により以下の２つの方式で送信されたパイロット信号を受信してもよい。
【００５５】
第１の方式では、受信装置がパイロット信号を受信する。当該パイロット信号は送信装置により各事前分割された周波数領域で送信され、全ての周波数領域は送信装置の帯域幅周波数を形成する。
【００５６】
第２の方式では、受信装置が広帯域パイロット信号を受信する。当該広帯域パイロット信号は、送信装置により送信装置の帯域幅周波数で送信される。
【００５７】
ステップ３０２では、当該パイロット信号を測定することによって当該パイロット信号を送信するためのチャネルのチャネル情報を送信装置にフィードバックして、送信装置が当該チャネル情報に従って送信装置の帯域幅周波数を分割するようにする。
【００５８】
ステップ３０１において受信装置がパイロット信号を第１の方式で受信するとき、受信装置は、各周波数リソース・グループに対応するＣＱＩ値を各周波数領域で測定し、当該周波数リソース・グループを送信装置に対応するＣＱＩ値をフィードバックしてもよく、その結果、送信装置が最大ＣＱＩ値を当該１群のＣＱＩ値から取得し、当該周波数領域を最大ＣＱＩ値に対応するサブキャリアの数に従って分割する。周波数リソース・グループは異なる数のサブキャリアで当該パイロット信号を運搬し、各分割されたサブ領域は１つのサブキャリアに対応する。
【００５９】
ステップ３０１において受信装置がパイロット信号を第２の方式で受信するとき、受信装置が、周波数間隔に従って広帯域パイロット信号を帯域幅周波数で分割して、周波数領域において１群のサブパイロット信号を取得し、各周波数領域に対応するサブパイロット信号のＣＳＩ値を測定し、当該周波数領域に対応するサブパイロット信号のＣＳＩ値を閾値範囲と比較し、比較結果を送信装置にフィードバックして、送信装置が当該周波数領域を当該比較結果に従って分割するようにする。各サブパイロット信号は当該帯域幅周波数上の１つの周波数領域に対応する。
【００６０】
受信装置が測定されたチャネル情報を送信装置にフィードバックした後、送信装置が当該チャネル情報に従って帯域幅周波数を分割してもよい。その結果、送信装置が、様々なチャネルのチャネル情報に従って対応するサブキャリアに対して様々な周波数領域リソースを構成することができ、正常なデータ信号が送信されたとき、当該信号が、様々な周波数領域リソースを割り当てられたサブキャリアにより運搬され、スペクトル効率が最大化される。
【００６１】
以上の実施形態から分かるように、受信装置は、受信したパイロット信号に従ってチャネル情報を送信装置にフィードバックすることができる。その結果、送信装置は帯域幅周波数をチャネル品質に従って分割することができる。分割された周波数領域リソースのサイズが異なってもよく、受信装置によりフィードバックされたチャネル情報に従って各サブキャリアの周波数領域リソースで適合的調整を実施することができ、その結果、システムの周波数効率を高めることができ、通信システムの性能を保証することができる。
【００６２】
図４を参照する。図４は、本発明の別の実施形態に従う適合的周波数領域リソース構成方法の流れ図である。当該実施形態では、ＣＱＩ値を測定することによって実施される周波数領域リソース構成プロセスを説明する。
【００６３】
ステップ４０１では、送信装置がそれに応じて、Ｎ個の周波数リソース・グループに従ってＮ個のパイロット信号グループを受信装置に各周波数領域で送信する。Ｎは自然数である。
【００６４】
当該Ｎ個の周波数リソース・グループは、当該周波数領域を異なる数のサブキャリアに従って分割することによって送信装置により取得されたグループであり、各周波数リソース・グループ内のサブキャリアはパイロット信号グループを運搬するために使用される。各周波数リソース・グループ内のサブキャリアの数は各パイロット信号グループ内のパイロット信号の数と同じであってもよく、この場合、各サブキャリアは１つのパイロット信号を運搬する。
【００６５】
なお図２Ｂを参照する。図２Ｂは、当該実施形態が適用される周波数リソース・グループ分割の略図である。図２Ｂを、各周波数領域が２つの周波数リソース・グループに分割される例により説明する。図２Ｂでは、帯域幅周波数全体は４つの周波数領域に分割される。当該４つの周波数領域はそれぞれ周波数領域１、周波数領域２、周波数領域３、および周波数領域４である。周波数領域２を例として、周波数領域２がパイロット構成に従って２つの周波数リソース・グループに分割され、当該周波数リソース・グループの１つが周波数領域２全体を含む周波数リソース・グループ２１であり、周波数リソース・グループ２１が１つのサブキャリアの送信に対応し、他の周波数リソース・グループは周波数領域２を２つのサブ領域に分割する周波数リソース・グループ２２であり、周波数リソース・グループ２２は２つのサブキャリアの送信に対応すると仮定する。
【００６６】
図２Ｂに示す周波数リソース・グループ化方式では、なお周波数領域２を例とし、送信装置が２つのパイロット信号グループを周波数領域２で送信する。最初のパイロット信号グループは周波数リソース・グループ２１に対応し、１番目のパイロット信号は１つのサブキャリアにより運搬され、２番目のパイロット信号グループは周波数リソース・グループ２２に対応し、２つのパイロット信号が２つのサブキャリアにより運搬される。
【００６７】
ステップ４０２では、受信装置がＮ個のパイロット信号グループを各周波数領域でそれぞれ測定して、各周波数領域のＮ個のＣＱＩ値を取得する。
【００６８】
各周波数領域に対応して、受信装置はＮ個のパイロット信号グループを受信する。なお図２Ｂの周波数領域２を例として説明を行う。受信装置は、２つのパイロット信号グループを受信し、１つのパイロット信号が周波数領域２で１つのサブキャリアにより運搬されるとき第１のパイロット信号グループに対してＣＱＩ測定を実施して第１のＣＱＩ値と称するＣＱＩ値を取得し、２つのパイロット信号に対してそれぞれ第２のパイロット信号グループでＣＱＩ測定を実施して２つのＣＱＩ値を取得し、２つのパイロット信号が周波数領域２で２つのサブキャリアにより運搬されるとき第２のＣＱＩ値と称するＣＱＩ値をさらに取得してもよい。第２のＣＱＩ値が、第２のパイロット信号グループ内の２つのパイロット信号にそれぞれ当該ＣＱＩ測定を実施した後に得られた２つのＣＱＩ値の合計であってもよい。
【００６９】
ステップ４０３では、受信装置が各周波数領域のＮ個のＣＱＩ値を送信装置にフィードバックする。
【００７０】
各周波数領域では、周波数リソース・グループの数に対応して、１群のＣＱＩ値を取得する。当該ＣＱＩ値の数は当該周波数リソース・グループの数と同一である。なお図２Ｂの周波数領域２を例とすると、受信装置は、周波数リソース・グループ２１に対応する測定した第１のＣＱＩ値と周波数リソース・グループ２２に対応する第２のＣＱＩ値を周波数領域２の１群のＣＱＩ値として使用し、当該１群のＣＱＩ値を送信装置にフィードバックする。さらに、受信装置が、先ず第１のＣＱＩ値と第２のＣＱＩ値を降順でソートし、次に、降順でソートした第１のＣＱＩ値と第２のＣＱＩ値を送信装置にフィードバックしてもよい。
【００７１】
ステップ４０４では、送信装置が最大ＣＱＩ値を当該１群のＣＱＩ値から取得し、最大ＣＱＩ値に対応するサブキャリアの数に従って各周波数領域を分割する。
【００７２】
周波数領域２の当該１群のＣＱＩ値を受信した後、送信装置が、第１のＣＱＩ値と第２のＣＱＩ値から最大ＣＱＩ値を取得し、最大ＣＱＩ値に対応するキャリアの数に従って第２の周波数領域を分割する。第２のＣＱＩ値が第１のＣＱＩ値より大きいと仮定すると、送信装置は、後続のデータ信号送信の間に周波数領域２を周波数リソース・グループ２２サブキャリアの数に従って分割する、即ち、周波数領域２を２つのサブ領域に分割し、各サブ領域は１つのサブキャリアの送信に対応する。即ち、分割結果に従って周波数リソース・グループ２２の当該２つのサブキャリアに対して周波数領域２を構成し、送信されたデータ信号が続いて当該２つのサブキャリアにより周波数領域２で運搬される。
【００７３】
当該実施形態では、説明を簡単にするために、各周波数リソースが２つの周波数リソース・グループに分割される例をとって説明を行ったことに留意されたい。実際の適用では、各周波数領域２を３つ以上の周波数リソース・グループに分割してもよく、当該実施形態では限定されない。
【００７４】
以上の実施形態から分かるように、受信装置が、当該パイロット信号が異なる数のサブキャリアにより各周波数領域で送信装置に運搬されるとき、受信したパイロット信号に従って、異なるＣＱＩ値をフィードバックすることができる。その結果、送信装置が、当該周波数領域に対応する１群のＣＱＩ値の最大ＣＱＩ値に従って当該周波数領域を分割することができる。周波数領域の分割方式は異なってもよいので、当該周波数領域に対応するサブキャリアの数も異なりうる。即ち、帯域幅周波数全体のサブキャリアに対して構成された周波数領域リソースは異なり、受信装置によりフィードバックされたＣＱＩ値に従って当該サブキャリアの周波数領域リソースに対して適合的調整を実施することができる。その結果、システムの周波数効率を高めることができ、通信システムの性能を保証することができる。
【００７５】
図５を参照する。図５は、本発明の別の実施形態に従う適合的周波数領域リソース構成方法の流れ図である。当該実施形態では、ＣＱＩ値を測定することによって実施される別の周波数領域リソース構成プロセスを説明する。
【００７６】
ステップ５０１では、送信装置が各周波数領域内の１個のパイロット信号グループを第１の周波数リソース・グループに含まれるサブキャリアで受信装置に送信する。当該第１の周波数リソース・グループは、当該周波数領域を異なる数のサブキャリアに従って分割することによって送信装置により取得されたＮ個の周波数リソース・グループ内の最大数のキャリアを有する周波数リソース・グループである。
【００７７】
当該第１の周波数リソース・グループに対応するパイロット信号グループ内のパイロット信号の数が、当該第１の周波数リソース・グループ内のサブキャリアの数と一致してもよい。
【００７８】
図２Ｂを参照すれば分かるように、送信装置の周波数領域が図２Ｂに従って周波数リソース・グループに分割されるとき、なお周波数領域２を例とすると、周波数領域２が２つの周波数リソース・グループに分割され、周波数リソース・グループ２２は２つのサブキャリアを含むことに対応し、周波数リソース・グループ２１は１つのサブキャリアを含むことに対応する。したがって、周波数リソース・グループ２２は周波数領域２における第１の周波数リソース・グループである。
【００７９】
当該実施形態と図４に示した実施形態の違いは、当該実施形態では、送信装置側で、１個のパイロット信号グループのみを第１の周波数リソース・グループに従って各周波数領域で送信すればよいことにある。図２Ｂの周波数領域２を参照すれば分かるように、周波数リソース・グループ２２は、周波数領域２の第１の周波数リソース・グループの役割を担い、送信装置は２つのサブキャリアにより運搬される２つのパイロット信号を送信するだけでよい。それにより、当該システムのパイロット・オーバヘッドが節約される。
【００８０】
ステップ５０２では、受信装置が当該第１の周波数リソース・グループに対応するパイロット信号グループ内の全てのパイロット信号のＣＱＩ値を測定し、全ての当該パイロット信号のＣＱＩ値の和を当該パイロット信号グループのＣＱＩ値として使用する。
【００８１】
当該ステップは説明においてステップ３０２と一貫している。当該第１の周波数リソース・グループに対応するパイロット信号グループのＣＱＩ値を取得するとき、受信装置は、当該パイロット信号グループ内の全てのパイロット信号の全てのＣＱＩ値を測定し、次いで、全てのパイロット信号のＣＱＩ値を加算して、当該パイロット信号グループのＣＱＩ値としてのＣＱＩ値を取得してもよい。
【００８２】
ステップ５０３では、受信装置が、当該第１の周波数リソース・グループに対応するパイロット信号グループ内のパイロット信号を周波数領域で結合することによって、Ｎ個の周波数リソース・グループ内の当該第１の周波数リソース・グループ以外の周波数リソース・グループの各々におけるパイロット信号を取得する。
【００８３】
なお図２Ｂの周波数領域２を例とすると、周波数リソース・グループ２２は周波数領域２における第１の周波数リソース・グループである。周波数リソース・グループ２２に対応するパイロット信号グループを受信した後、受信装置が、周波数リソース・グループ２１に対応するパイロット信号グループを、当該周波数領域の当該パイロット信号グループの２つのパイロット信号を結合することによって取得してもよい。当該パイロット信号グループは１つのパイロット信号を含む。
【００８４】
前述の説明は例にすぎない。各周波数領域が３つ以上の周波数リソース・グループを含むとき、ｍ個の周波数リソース・グループが含まれると仮定すると、当該周波数リソース・グループはＫｉで表される。ここで、ｉの値は１からｍの範囲にあり、ｍは自然数である。第１の周波数リソース・グループがＫｍであると仮定すると、当該第１の周波数リソース・グループ以外の他の全ての周波数リソース・グループＫｉ内のパイロット信号は全て、当該周波数領域の周波数リソース・グループＫｉ＋１内のパイロット信号を結合することによって得られる。
【００８５】
ステップ５０４では、受信装置が、他の周波数リソース・グループの各々に対応するパイロット信号グループのＣＱＩ値を測定する。
【００８６】
他の周波数リソース・グループの各々を取得した後、各周波数リソース・グループに対応する各パイロット信号グループのＣＱＩ値を測定するプロセスはステップ４０２のプロセスと一致しており、ここでは再び説明することはしない。
【００８７】
ステップ５０５では、受信装置が各周波数領域の１群のＣＱＩ値を送信装置にフィードバックする。
【００８８】
各周波数領域では、周波数リソース・グループの数に対応して、１群のＣＱＩ値が取得される。ＣＱＩ値の数は当該周波数リソース・グループの数と同じである。図２Ｂの周波数領域２を例とすると、受信装置は、周波数リソース・グループ２１に対応する測定した第１のＣＱＩ値と周波数リソース・グループ２２に対応する第２のＣＱＩ値を周波数領域２の１群のＣＱＩ値として使用し、当該１群のＣＱＩ値を送信装置にフィードバックする。さらに、受信装置は、先ず第１のＣＱＩ値と第２のＣＱＩ値を降順でソートし、次いで、第１のＣＱＩ値と第２のＣＱＩ値をその順序に従って送信装置にフィードバックしてもよい。
【００８９】
ステップ５０６では、送信装置が最大ＣＱＩ値を当該１群のＣＱＩ値から取得し、当該周波数領域を最大ＣＱＩ値に対応するサブキャリアの数に従って分割する。
【００９０】
周波数領域２の当該１群のＣＱＩ値を受信した後、送信装置が、第１のＣＱＩ値と第２のＣＱＩ値から最大ＣＱＩ値を取得し、最大ＣＱＩ値に対応するキャリアの数に従って第２の周波数領域を分割する。第２のＣＱＩ値が第１のＣＱＩ値より大きいと仮定すると、送信装置は、後続のデータ信号送信の間に周波数リソース・グループ２２に従って周波数領域２を分割する。即ち、２つのサブキャリアに対して周波数領域２が構成され、送信されたデータ信号が続いて当該２つのサブキャリアにより周波数領域２で運搬される。
【００９１】
以上の実施形態から分かるように、受信装置は、パイロット信号が異なる数のサブキャリアにより各周波数領域で送信装置に運搬されるとき、受信したパイロット信号に従って、異なるＣＱＩ値をフィードバックすることができる。その結果、送信装置が、当該周波数領域に対応する１群のＣＱＩ値の中の最大ＣＱＩ値に従って当該周波数領域を分割することができる。周波数領域の分割方式は異なってもよいので、当該周波数領域に対応するサブキャリアの数も異なりうる。即ち、帯域幅周波数全体のサブキャリアに対して構成された周波数領域リソースは異なり、受信装置によりフィードバックされたＣＱＩ値に従って当該サブキャリアの周波数領域リソースに対して適合的調整を実施することができる。その結果、システムの周波数効率を高めることができ、通信システムの性能を保証することができる。さらに、諸実施形態では１個のパイロット信号グループのみが周波数領域ごとに送信されるので、当該システムのパイロット・オーバヘッドをさらに減らすことができる。
【００９２】
図６Ａを参照する。図６Ａは、本発明の別の実施形態に従う適合的周波数領域リソース構成方法の流れ図である。当該実施形態では、ＣＳＩ値を測定することによって実施される周波数領域リソース構成プロセスを説明する。
【００９３】
ステップ６０１では、送信装置が広帯域パイロット信号を受信装置に送信装置の帯域幅周波数で送信する。
【００９４】
ステップ６０２では、受信装置が、周波数間隔に従って当該広帯域パイロット信号を当該帯域幅周波数で分割して周波数領域において１群のサブパイロット信号を取得する。各サブパイロット信号は当該帯域幅周波数上の１つの周波数領域に対応する。
【００９５】
送信装置が１つの広帯域パイロット信号を帯域幅周波数全体で送信するとき、送信装置側では、全ての周波数点でのパイロット信号が同一のエネルギを有し、当該広帯域パイロット信号を無線チャネルで受信装置に送信した後、異なる周波数点でのパイロット信号が送信プロセスにおける異なるマルチパス・フェーディング（ｍｕｌｔｉ−ｐａｔｈ  ｆａｄｉｎｇ）を受けると、受信装置により受信されたパイロット信号は異なる周波数点で異なるエネルギ・フェーディングを有する。
【００９６】
図６Ｂを参照する。図６Ｂは、当該実施形態が適用されるパイロット信号分割および対応する周波数領域の略図である。図６Ｂでは、左の部分は送信装置側の帯域幅周波数全体であり、右の部分は、無線チャネルで送信した後の広帯域パイロット信号の周波数に関するエネルギ曲線である。当該広帯域パイロット信号を受信した後、受信装置は、周波数間隔に従って当該広帯域パイロット信号を当該周波数領域で分割してもよい。
【００９７】
図６Ｂに示すように、受信したパイロット信号が周波数領域で４つのサブパイロット信号に分割されると仮定する。当該４つのサブパイロット信号はそれぞれ、サブパイロット信号１、サブパイロット信号２、サブパイロット信号３、およびサブパイロット信号４である。図６Ｂから分かるように、当該周波数領域における各サブパイロット信号に対応するエネルギは異なり、異なるエネルギは当該無線チャネルでの異なるフェーディング特徴に対応する。サブパイロット信号１は当該周波数領域内の帯域幅周波数の周波数領域１に対応し、サブパイロット信号２は当該周波数領域内の帯域幅周波数の周波数領域２に対応し、サブパイロット信号３は当該周波数領域内の帯域幅周波数の周波数領域３に対応し、サブパイロット信号４は当該周波数領域内の帯域幅周波数の周波数領域４に対応する。
【００９８】
ステップ６０３で、受信装置が各周波数領域に対応するサブパイロット信号のＣＳＩ値を測定する。
【００９９】
図６Ｂを参照して分かるように、当該実施形態では、各サブパイロット信号のＣＳＩ値を測定して当該サブパイロット信号のＣＳＩ値を取得する。例えば、それぞれ、サブパイロット信号１のＣＳＩ値を第１のＣＳＩ値と称してもよく、サブパイロット信号２のＣＳＩ値を第２のＣＳＩ値と称してもよく、サブパイロット信号３のＣＳＩ値を第３のＣＳＩ値と称してもよく、サブパイロット信号４のＣＳＩ値を第４のＣＳＩ値と称してもよい。
【０１００】
ステップ６０４で受信装置が閾値範囲を取得する。各閾値範囲の量子化値は周波数領域分割方式に対応する。
【０１０１】
周波数領域１を例とし、周波数領域１が２つの閾値範囲で事前に設定されると仮定する。当該２つの閾値範囲はそれぞれ、第１の閾値範囲［０、０．５］（０．５を含む）と第２の閾値範囲（０．５、１］（０．５を含まない）である。測定したＣＳＩ値が属する閾値範囲を好都合に送信装置にフィードバックするために、当該閾値範囲を量子化して、当該閾値範囲に関する情報を好都合に送信するようにしてもよい。例えば、当該第１の閾値範囲の量子化値が０に設定され、当該第２の閾値範囲の量子化値が１に設定される。当該閾値範囲の設定は例にすぎず、周波数領域１以外の周波数領域の事前設定閾値範囲が周波数領域１の事前設定閾値範囲と同一であるかまたは異なってもよく、本発明の当該実施形態では限定されないことに留意されたい。
【０１０２】
上で設定した２つの閾値範囲において、当該第１の閾値範囲がそれに応じて周波数領域１を１つのサブキャリアに対応する１つの周波数領域リソースに分割し、当該第２の閾値範囲がそれに応じて周波数領域１を２つのサブキャリアに対応する２つの周波数領域リソースに分割すると仮定する。
【０１０３】
ステップ６０５で、受信装置が、当該周波数領域に対応するサブパイロット信号のＣＳＩ値が属する閾値範囲を決定し、当該閾値範囲の量子化値を送信装置にフィードバックする。
【０１０４】
図６Ｂの周波数領域１を例とし、周波数領域１に対応するサブパイロット信号１の第１のＣＳＩ値が０．８であると仮定すると、当該第１のＣＳＩ値は当該第２の閾値範囲に属する。この場合、受信装置は当該第２の閾値範囲の量子化値「１」を送信装置にフィードバックする。
【０１０５】
ステップ６０６では、送信装置が量子化値に対応する周波数領域分割方式で周波数領域を分割する。
【０１０６】
送信装置は、受信した量子化値「１」に従って対応する第２の閾値範囲を取得することができ、したがって、周波数領域１を２つの周波数領域リソースに分割することができる。２つのデータ信号が続いて２つのサブキャリアにより周波数領域１で運搬されて送信される。
【０１０７】
以上の実施形態から分かるように、受信装置は、受信した広帯域パイロット信号に従って各周波数領域に対応するサブパイロット信号のＣＳＩ値を送信装置にフィードバックすることができ、その結果、送信装置は当該ＣＳＩ値に従って当該周波数領域を分割することができる。周波数領域の分割方式は異なるので、当該周波数領域内のサブキャリアの数はそれに応じて異なる。即ち、帯域幅周波数全体で当該サブキャリアに対して構成される周波数領域リソースは異なり、ＣＳＩ値に従って当該サブキャリアの当該周波数領域リソースに対して適合的調整を実施することができる。その結果、システムの周波数効率を高めることができ、通信システムの性能を保証することができる。
【０１０８】
本発明の適合的周波数領域リソース構成方法の諸実施形態に対応して、本発明ではさらに、送信装置、受信装置、および通信システムの諸実施形態を提供する。
【０１０９】
本発明の１実施形態では通信システムを提供する。図７を参照すると、当該通信システムが送信装置７１０と受信装置７２０を備えてもよい。
【０１１０】
送信装置７１０は、パイロット信号を受信装置に送信するように構成される。受信装置７２０は、当該パイロット信号を測定することによって、当該パイロット信号を送信するためのチャネルのチャネル情報を送信装置７１０にフィードバックするように構成される
【０１１１】
送信装置７１０はさらに、送信装置の帯域幅周波数を当該チャネル情報に従って分割するように構成される。
【０１１２】
具体的な実施形態では、送信装置７１０は特に、パイロット信号を各事前分割された周波数領域で受信装置に送信するように構成される。全ての周波数領域は送信装置の帯域幅周波数を形成する。
【０１１３】
受信装置７２０は特に、送信装置の各周波数リソース・グループに対応するＣＱＩ値を各周波数領域で測定し、当該周波数リソース・グループに対応するＣＱＩ値を送信装置にフィードバックして、送信装置が最大ＣＱＩ値を当該周波数リソース・グループに対応するＣＱＩ値から取得し、当該周波数領域を最大ＣＱＩ値に対応するサブキャリアの数に従って分割するようにするように構成される。周波数リソース・グループは異なる数のサブキャリアで当該パイロット信号を運搬する。
【０１１４】
送信装置７１０は特に、最大ＣＱＩ値を当該周波数リソース・グループに対応するＣＱＩ値から取得し、最大ＣＱＩ値に対応するサブキャリアの数に従って周波数領域を分割するようにさらに構成される。
【０１１５】
別の具体的な実施形態では、送信装置７１０は特に、広帯域パイロット信号を受信装置に当該帯域幅周波数で送信するように構成される。
【０１１６】
受信装置７２０は特に、当該広帯域パイロット信号を当該帯域幅周波数で周波数間隔に従って分割して周波数領域において１群のサブパイロット信号を取得し、当該周波数領域に対応するサブパイロット信号のＣＳＩ値を閾値範囲と比較し、比較結果を送信装置にフィードバックするように構成される。各サブパイロット信号は当該帯域幅周波数上の１つの周波数領域に対応する。
【０１１７】
送信装置７１０は特に、当該帯域幅周波数の各周波数領域を受信装置によりフィードバックされた比較結果に従って分割するようにさらに構成される。
【０１１８】
前述の実施形態で示した通信システムが前述の方法の諸実施形態を実行する通信システムであってもよい。当該通信システム内の送信装置および受信装置の具体的な実行プロセスについては前述の方法の諸実施形態の説明を参照されたい。ここでは再び説明することはしない。
【０１１９】
本発明の１実施形態では送信装置を提供する。図８を参照すると、送信装置が、送信ユニット８１０、チャネル情報受信ユニット８２０、および構成ユニット８３０を備えてもよい。
【０１２０】
送信ユニット８１０は、パイロット信号を受信装置に送信するように構成される。チャネル情報受信ユニット８２０は、当該パイロット信号を送信するためのチャネルのチャネル情報を受信するように構成される。当該チャネル情報は受信装置によりフィードバックされ、当該チャネル情報は送信ユニット８１０により送信された当該パイロット信号を測定した後に受信装置により得られた情報である。
【０１２１】
構成ユニット８３０は、送信装置の帯域幅周波数を当該チャネル情報に従って分割するように構成される。
【０１２２】
本発明の１実施形態では別の送信装置を提供する。図９を参照すると、送信装置が、送信ユニット８１０、チャネル情報受信ユニット８２０、および構成ユニット８３０を備えてもよい。
【０１２３】
送信ユニット８１０は、パイロット信号を各事前分割された周波数領域で受信装置に送信するように構成された第１の送信サブユニット９１１を備える。全ての周波数領域は送信装置の帯域幅周波数を形成する。
【０１２４】
チャネル情報受信ユニット８２０は、受信装置によりフィードバックされた各周波数領域の１群のＣＱＩ値を受信するように構成された第１のチャネル情報受信サブユニット９２１を備える。当該周波数領域の１群のＣＱＩ値は受信装置により測定されたＣＱＩ値であり、当該周波数領域内の当該第１の送信ユニットの各周波数リソース・グループに対応し、周波数リソース・グループは異なる数のサブキャリアで当該パイロット信号を運搬する。
【０１２５】
構成ユニット８３０は、当該周波数リソース・グループに対応するＣＱＩ値から最大ＣＱＩ値を取得するように構成されたＣＱＩ取得サブユニット９３１と、当該ＣＱＩ取得サブユニットにより取得された最大ＣＱＩ値に対応するサブキャリアの数に従って周波数領域を分割するように構成された第１の周波数分割サブユニット９３２とを備える。
【０１２６】
第１の送信サブユニット９１１を特に、それに応じて各周波数領域内のＮ個のパイロット信号グループをＮ個の周波数リソース・グループに従って送信するように構成してもよい。当該Ｎ個の周波数リソース・グループは、当該周波数領域を異なる数のサブキャリアに従って分割することによって送信装置により取得されたグループであり、Ｎは自然数であり、各周波数リソース・グループ内のサブキャリアは対応するパイロット信号グループを運搬する。または、第１の送信サブユニット９１１を特に、各周波数領域内の１個のパイロット信号グループを第１の周波数リソース・グループに含まれるサブキャリアで送信するように構成してもよい。当該第１の周波数リソース・グループは、当該周波数領域を異なる数のサブキャリアに従って分割することによって送信装置により取得されたＮ個の周波数リソース・グループ内の最大数のキャリアを有する周波数リソース・グループである。
【０１２７】
本発明の１実施形態ではさらに別の送信装置を提供する。図１０を参照すると、送信装置が送信ユニット８１０、チャネル情報受信ユニット８２０、および構成ユニット８３０を備えてもよい。
【０１２８】
送信ユニット８１０は、広帯域パイロット信号を受信装置に送信装置の帯域幅周波数で送信するように構成された第２の送信サブユニット１０１１を備える。
【０１２９】
チャネル情報受信ユニット８２０は、受信装置が各周波数領域に対応するサブパイロット信号のＣＳＩ値を測定し当該周波数領域に対応するサブパイロット信号のＣＳＩ値を閾値範囲と比較した後に受信装置により送信装置にフィードバックされた比較結果を受信するように構成された第２のチャネル情報受信サブユニット１０２１を備える。当該周波数領域に対応するサブパイロット信号は、受信装置が、周波数間隔に従って当該広帯域パイロット信号を当該帯域幅周波数で分割した後に取得された各分割された周波数領域に対応するサブパイロット信号である。当該広帯域パイロット信号は当該第２の送信サブユニットにより送信され、各サブパイロット信号は当該帯域幅周波数上の１つの周波数領域に対応する。
【０１３０】
構成ユニット８３０は、受信装置によりフィードバックされ当該第２のチャネル情報受信サブユニットにより受信される比較結果に従って当該帯域幅周波数の各周波数領域を分割するように構成された第２の周波数分割サブユニット１０３１を備える。
【０１３１】
具体的な実施形態では、受信装置によりフィードバックされ第２のチャネル情報受信サブユニット１０２１により受信される比較結果は特に、閾値範囲の量子化値であり、当該閾値範囲の当該量子化値は、受信装置が当該周波数領域に対応するサブパイロット信号のＣＳＩ値が属する閾値範囲を決定した後に送信装置にフィードバックされた量子化値である。
【０１３２】
第２の周波数分割サブユニット１０３１は特に、当該閾値範囲の受信した量子化値に対応する周波数領域分割方式で周波数領域を分割するように構成される。
【０１３３】
本発明の１実施形態ではさらに別の送信装置を提供する。図１１を参照すると、送信装置が無線送信器１１１０とプロセッサ１１２０を備えてもよい。
【０１３４】
無線送信器１１１０は、パイロット信号を受信装置に送信するように構成される。プロセッサ１１２０は、当該パイロット信号を送信するためのチャネルのチャネル情報を受信した後に、送信装置の帯域幅周波数を当該チャネル情報に従って分割するように構成される。当該チャネル情報は受信装置によりフィードバックされ、当該チャネル情報は当該パイロット信号を測定した後に受信装置により得られた情報である。
【０１３５】
具体的な実施形態では、無線送信器１１１０は特に、パイロット信号を各事前分割された周波数領域で受信装置に送信するように構成される。全ての周波数領域は送信装置の帯域幅周波数を形成する。
【０１３６】
プロセッサ１１２０は特に、受信装置によりフィードバックされた各周波数領域の１群のＣＱＩ値、当該周波数領域内の各周波数リソース・グループに対応するＣＱＩ値、および当該周波数リソース・グループを受信し、当該周波数リソース・グループに対応する当該１群のＣＱＩ値から最大ＣＱＩ値を取得し、最大ＣＱＩ値に対応するサブキャリアの数に従って周波数領域を分割するように構成される。
【０１３７】
別の具体的な実施形態では、無線送信器１１１０は特に、広帯域パイロット信号を受信装置に当該帯域幅周波数で送信するように構成される。
【０１３８】
プロセッサ１１２０は特に、受信装置が各周波数領域に対応するサブパイロット信号のＣＳＩ値を測定し当該周波数領域に対応するサブパイロット信号のＣＳＩ値を閾値範囲と比較した後に受信装置により送信装置にフィードバックされた比較結果を受信し、当該帯域幅周波数の各周波数領域を受信装置によりフィードバックされた比較結果に従って分割ように構成される。当該周波数領域に対応するサブパイロット信号は、受信装置が、周波数間隔に従って当該広帯域パイロット信号を当該帯域幅周波数で分割した後に取得された各分割された周波数領域に対応するサブパイロット信号であり、各サブパイロット信号は当該帯域幅周波数上の１つの周波数領域に対応する。
【０１３９】
図８乃至図１１の諸実施形態で示した送信装置が前述の方法の諸実施形態を実行する送信装置であってもよく、当該通信システムの前述の諸実施形態で示した送信装置であってもよい。具体的な説明については前述の方法の諸実施形態およびシステムの実施形態を参照されたい。ここでは再び説明することはしない。
【０１４０】
本発明の１実施形態では受信装置を提供する。図１２を参照すると、受信装置がパイロット信号受信ユニット１２１０とフィードバック・ユニット１２２０を備えてもよい。
【０１４１】
パイロット信号受信ユニット１２１０は、送信装置により送信されたパイロット信号を受信するように構成される。
【０１４２】
フィードバック・ユニット１２２０は、パイロット信号受信ユニット１２１０が受信したパイロット信号を測定することによって当該パイロット信号を送信するためのチャネルのチャネル情報を送信装置にフィードバックして、送信装置が当該送信装置の帯域幅周波数を当該チャネル情報に従って分割するようにするように構成される。
【０１４３】
本発明の１実施形態では別の受信装置を提供する。図１３を参照すると受信装置がパイロット信号受信ユニット１２１０とフィードバック・ユニット１２２０を備えてもよい。
【０１４４】
パイロット信号受信ユニット１２１０は、パイロット信号を受信する第１のパイロット信号受信サブユニット１３１１を備える。当該パイロット信号は送信装置により各事前分割された周波数領域で送信され、全ての周波数領域は送信装置の帯域幅周波数を形成する
【０１４５】
フィードバック・ユニット１２２０は、送信装置の各周波数リソース・グループに対応するＣＱＩ値を各周波数領域で測定するように構成されたＣＱＩ測定サブユニット１３２１であって、周波数リソース・グループは異なる数のサブキャリアで当該パイロット信号を運搬するＣＱＩ測定サブユニット１３２１と、当該ＣＱＩ測定サブユニットにより測定され当該周波数リソース・グループに対応するＣＱＩ値を送信装置にフィードバックして、送信装置が最大ＣＱＩ値を当該周波数リソース・グループに対応するＣＱＩ値から取得し、当該周波数領域を最大ＣＱＩ値に対応するサブキャリアの数に従って分割するようにするように構成されたＣＱＩフィードバック・サブユニット１３２２を備える。
【０１４６】
具体的な実施形態では、第１のパイロット信号受信サブユニット１３１１は特に、Ｎ個のパイロット信号グループを受信するように構成される。当該Ｎ個のパイロット信号グループはそれに応じて、Ｎ個の周波数リソース・グループに従って、送信装置により各周波数領域で送信され、当該Ｎ個の周波数リソース・グループは、当該周波数領域を異なる数のサブキャリアに従って分割することによって送信装置により取得されたグループであり、Ｎは自然数であり、各周波数リソース・グループ内のサブキャリアは対応するパイロット信号グループを運搬する。
【０１４７】
ＣＱＩ測定サブユニット１３２１は特に、当該Ｎ個のパイロット信号グループを、当該第１のパイロット信号受信サブユニット１３１１により受信された周波数領域で測定して、各周波数領域のＮ個のＣＱＩ値を取得するように構成される。
【０１４８】
ＣＱＩフィードバック・サブユニット１３２２は特に、１群のＣＱＩ値内のＣＱＩ値を降順でソートし、次いで、降順でソートした当該１群のＣＱＩ値を送信装置にフィードバックするように構成される。当該１群のＣＱＩ値は当該ＣＱＩ測定サブユニットにより測定される。
【０１４９】
別の具体的な実施形態では、第１のパイロット信号受信サブユニット１３１１は特に、パイロット信号グループを受信するように構成される。当該パイロット信号グループは送信装置により各周波数領域で第１の周波数リソース・グループに含まれるサブキャリアにより送信され、当該第１の周波数リソース・グループは、当該周波数領域を異なる数のサブキャリアに従って分割することによって送信装置により取得されたＮ個の周波数リソース・グループ内の最大数のキャリアを有する周波数リソース・グループである。
【０１５０】
ＣＱＩ測定サブユニット１３２１は特に、当該第１の周波数リソース・グループに対応するパイロット信号グループ内の全てのパイロット信号のＣＱＩ値を測定し、全ての当該パイロット信号のＣＱＩ値の和を当該パイロット信号グループのＣＱＩ値として使用し、当該パイロット信号グループ内のパイロット信号を周波数領域で結合することによって当該Ｎ個の周波数リソース・グループ内の当該第１の周波数リソース・グループ以外の周波数リソース・グループの各々におけるパイロット信号を取得し、他の周波数リソース・グループの各々に対応するパイロット信号グループのＣＱＩ値を測定し、当該第１の周波数リソース・グループに対応するパイロット信号グループのＣＱＩ値と他の周波数リソース・グループの各々に対応するパイロット信号グループのＣＱＩ値を各周波数領域の１群のＣＱＩ値として使用するように構成される。
【０１５１】
ＣＱＩフィードバック・サブユニット１３２２は特に、１群のＣＱＩ値内のＣＱＩ値を降順でソートし、次いで、降順でソートした当該１群のＣＱＩ値を送信装置にフィードバックするように構成される。当該１群のＣＱＩ値はＣＱＩ測定サブユニット１３２１により測定される。
【０１５２】
本発明の１実施形態ではさらに別の受信装置を提供する。図１４を参照すると、受信装置がパイロット信号受信ユニット１２１０とフィードバック・ユニット１２２０を備えてもよい。
【０１５３】
パイロット信号受信ユニット１２１０は、広帯域パイロット信号を受信するように構成された第２のパイロット信号受信サブユニット１４１１を備える。当該広帯域パイロット信号は送信装置により当該帯域幅周波数で送信される。
【０１５４】
フィードバック・ユニット１２２０は、当該広帯域パイロット信号を当該帯域幅周波数で周波数間隔に従って分割して、周波数領域において１群のサブパイロット信号を取得するように構成された信号分割サブユニット１４２１であって、当該広帯域パイロット信号は第２のパイロット信号受信サブユニット１４１１により受信され、各サブパイロット信号は当該帯域幅周波数上の１つの周波数領域に対応する信号分割サブユニット１４２１と、当該信号分割サブユニットにより分割された各周波数領域に対応するサブパイロット信号のＣＳＩ値を測定するように構成されたＣＳＩ測定サブユニット１４２２と、当該周波数領域に対応するサブパイロット信号のＣＳＩ値を閾値範囲と比較し、比較結果を送信装置にフィードバックして、送信装置が当該周波数領域を当該比較結果に従って分割するようにするように構成された結果フィードバック・サブユニット１４２３であって、当該ＣＳＩ値は当該ＣＳＩ測定サブユニットにより測定される結果フィードバック・サブユニット１４２３とを備える。
【０１５５】
具体的な実施形態では、結果フィードバック・サブユニット１４２３は特に、事前設定閾値範囲を取得し、当該周波数領域に対応するサブパイロット信号のＣＳＩ値が属する閾値範囲を決定し、当該閾値範囲の量子化値を送信装置にフィードバックして、送信装置が当該量子化値に対応する周波数領域分割方式で当該周波数領域を分割するようにするように構成される。各閾値範囲の量子化値は１つの周波数領域分割方式に対応する。
【０１５６】
本発明の１実施形態ではさらに別の受信装置を提供する。図１５を参照すると、受信装置が無線受信器１５１０とプロセッサ１５２０を備えてもよい。
【０１５７】
無線受信器１５１０は、送信装置により送信されたパイロット信号を受信するように構成される。プロセッサ１５２０は、当該パイロット信号を測定することによって当該パイロット信号を送信するためのチャネルのチャネル情報を送信装置にフィードバックして、送信装置が当該送信装置の帯域幅周波数を当該チャネル情報に従って分割するようにするように構成される。
【０１５８】
具体的な実施形態では、無線送信器１５１０は特に、パイロット信号を各事前分割された周波数領域で受信装置に送信するように構成され、全ての周波数領域は送信装置の帯域幅周波数を形成する。
【０１５９】
プロセッサ１５２０は特に、送信装置の各周波数リソース・グループに対応するＣＱＩ値を各周波数領域で測定し、当該周波数リソース・グループに対応するＣＱＩ値を送信装置にフィードバックして、送信装置が最大ＣＱＩ値を当該周波数リソース・グループに対応するＣＱＩ値から取得し当該周波数領域を最大ＣＱＩ値に対応するサブキャリアの数に従って分割するようにするように構成される。周波数リソース・グループは異なる数のサブキャリアで当該パイロット信号を運搬する。
【０１６０】
別の具体的な実施形態では、無線受信器１５１０は特に、広帯域パイロット信号を受信するように構成され、当該広帯域パイロット信号は送信装置により当該帯域幅周波数で送信される。
【０１６１】
プロセッサ１５２０は特に、当該広帯域パイロット信号を当該帯域幅周波数で周波数間隔に従って分割して周波数領域において１群のサブパイロット信号を取得し、各周波数領域に対応するサブパイロット信号のチャネル状態情報ＣＳＩ値を測定し、当該周波数領域に対応するサブパイロット信号のＣＳＩ値を閾値範囲と比較し、比較結果を送信装置にフィードバックして、送信装置が当該周波数領域を当該比較結果に従って分割するようにするように構成される。各サブパイロット信号は当該帯域幅周波数上の１つの周波数領域に対応する。
【０１６２】
図１２乃至図１５の諸実施形態で示した受信装置が、前述の方法の諸実施形態を実行する受信装置であってもよく、当該通信システムの前述の諸実施形態で示した受信装置であってもよい。具体的な説明については前述の方法の諸実施形態およびシステムの実施形態を参照されたい。ここでは再び説明することはしない。
【０１６３】
図１６Ａは、本発明の１実施形態に従って適合的周波数領域リソース構成方法を適用する通信システムのアーキテクチャの略図であり、図１６Ｂは、図１６Ａに示す通信システムにおける信号の流れの略図である。
【０１６４】
図１６Ａから分かるように、当該通信システムは送信装置と受信装置を備える。送信装置は無線チャネルを介して受信装置に接続される。図１６Ａの送信装置が、前述の方法の諸実施形態および送信装置の諸実施形態で説明した送信装置であってもよく、図１６Ａの受信装置が、前述の方法の諸実施形態および受信装置の諸実施形態で説明した受信装置であってもよい。
【０１６５】
送信装置が図１１を参照して説明した送信装置であり、受信装置が図１５を参照して説明した受信装置であるとき、送信装置内の当該無線送信器が、シリアル・パラレル変換モジュール、変調マッピング・モジュール、結合フィルタ・モジュール、および上方サンプラ・モジュールを備えてもよく、送信装置内の当該プロセッサが構成モジュールを備えてもよく、受信装置内の当該無線受信器がシリアル・パラレル変換モジュール、下方サンプラ・モジュール、分析フィルタ・モジュール、信号復調モジュール、およびパラレル・シリアル変換モジュールを備えてもよく、受信装置内の当該プロセッサがフィードバック・モジュールを備えてもよい。本発明の当該実施形態では、可変周波数領域リソースの構成を実装するために、受信装置内の当該フィードバック・モジュールと送信装置内の当該構成モジュールの間の接続を介して、当該構成モジュールが当該結合フィルタ・モジュールに接続される。当該フィードバック・モジュールは、図１６Ａで当該フィードバック・モジュールと当該構成モジュールの間の点線矢印で示すように、エア・インタフェースを介して当該構成モジュールと通信する。
【０１６６】
図１６Ａおよび図１６Ｂを参照して、送信装置が周波数領域リソースで適合的構成を実施するための、送信装置および受信装置のプロセスと、受信装置が測定されたチャネル情報を送信装置の当該構成モジュールに当該フィードバック・モジュールでフィードバックするプロセスの信号処理を以下で説明する。
【０１６７】
送信装置側では、Ｍ個のシリアル信号から成るグループｓｉ（ｎ）（ｉ＝０〜Ｍ―１、Ｍは自然数）を提供する。ｎは１群の離散信号の変数を示し、ｎの値は正の整数であり、当該１群のシリアル信号をｓ０（ｎ），．．．，ｓＭ−１（ｎ）で表してもよい。当該１群のシリアル信号を当該シリアル・パラレル変換モジュールに入力した後、１群のパラレル信号
【０１６８】
【数１】
2015526980.tif 000003
【０１６９】
が出力される。当該変調マッピング・モジュールにより変調した後、当該パラレル信号が当該結合フィルタ・モジュールに出力される。当該結合フィルタ・モジュールは１群のフィルタを含み、当該フィルタの数は当該信号の数と同じである。図１６Ｂに示すように、当該１群のパラレル信号
【０１７０】
【数２】
2015526980.tif 000004
【０１７１】
を１群のフィルタ
【０１７２】
【数３】
2015526980.tif 000005
【０１７３】
によりフィルタした後、パラレル信号
【０１７４】
【数４】
2015526980.tif 000006
【０１７５】
が出力される。当該パラレル信号
【０１７６】
【数５】
2015526980.tif 000007
【０１７７】
を
【０１７８】
【数６】
2015526980.tif 000008
【０１７９】
により表してもよい。ｍの値は０からＭ―１の範囲にあり、ｋは１群の離散信号の変数を示し、ｋの値は正の整数であり、前述の式
【０１８０】
【数７】
2015526980.tif 000009
【０１８１】
は、ｓｍ（ｎ）が
【０１８２】
【数８】
2015526980.tif 000010
【０１８３】
を介した信号ｓｍ（ｎ）に対する畳込み操作を実施することで得られることを示す。当該結合フィルタによりフィルタされた信号
【０１８４】
【数９】
2015526980.tif 000011
【０１８５】
が上方サンプラ・モジュールに入力され、標本化されたパラレル信号
【０１８６】
【数１０】
2015526980.tif 000012
【０１８７】
が、１群の上方サンプラ
【０１８８】
【数１１】
2015526980.tif 000013
【０１８９】
によるサンプリング処理の後に出力され、結合後のパラレル信号は
【０１９０】
【数１２】
2015526980.tif 000014
【０１９１】
で表される。送信装置は信号ｙ（ｎ）を表し、信号ｙ（ｎ）は当該無線チャネルを介して受信装置に送信される。
【０１９２】
受信装置側では、信号ｙ（ｎ）が理想無線チャネルを介して送信されると仮定すると、受信装置により受信された信号は送信装置により送信された信号ｙ（ｎ）である。受信装置側では、受信した信号ｙ（ｎ）を先ずシリアル・パラレル処理のために当該シリアル・パラレル変換モジュールに入力して、１群のパラレル信号
【０１９３】
【数１３】
2015526980.tif 000015
【０１９４】
を取得する。当該パラレル信号が下方サンプラ・モジュールに入力され、１群の下方サンプラ
【０１９５】
【数１４】
2015526980.tif 000016
【０１９６】
によるサンプリング処理を受けた後、標本化されたパラレル信号
【０１９７】
【数１５】
2015526980.tif 000017
【０１９８】
が出力される。下方サンプリング処理後の信号
【０１９９】
【数１６】
2015526980.tif 000018
【０２００】
を
【０２０１】
【数１７】
2015526980.tif 000019
【０２０２】
により表してもよい。ｉの値は０乃至Ｍ―１の範囲内にある。下方サンプラ・モジュールにより処理した後、信号
【０２０３】
【数１８】
2015526980.tif 000020
【０２０４】
を分析フィルタ・モジュールに入力し、１群の分析フィルタ
【０２０５】
【数１９】
2015526980.tif 000021
【０２０６】
により処理した後、１群のパラレル信号
【０２０７】
【数２０】
2015526980.tif 000022
【０２０８】
が再確立される。当該パラレル信号を
【０２０９】
【数２１】
2015526980.tif 000023
【０２１０】
により表してもよい。当該パラレル信号
【０２１１】
【数２２】
2015526980.tif 000024
【０２１２】
を変調のために信号復調モジュールに入力しパラレル・シリアル変換モジュールにより処理した後、シリアル信号が出力される。
【０２１３】
本発明の当該実施形態を適用するとき、送信装置がパイロット信号グループを当該シリアル・パラレル変換モジュールに入力し、送信装置内の当該モジュールにより処理した後、当該パイロット信号が無線チャネルを介して受信装置に送信される。受信装置は、当該モジュールを介して当該パイロット信号を処理する。当該フィードバック・モジュールは、当該信号復調モジュールにより復調した後にパイロット信号を取得し、以上の本発明の諸実施形態の説明に従って当該パイロット信号を測定し、エア・インタフェースを介して測定されたチャネル情報を送信装置の当該構成モジュールに送信し、当該構成モジュールが当該フィードバック・モジュールによりフィードバックされた当該チャネル情報に従って帯域幅周波数を分割し、分割結果を当該結合フィルタ・モジュールに入力し、続いて、当該送信モジュールが正常なデータ信号を送信するとき、当該結合フィルタ・モジュールは当該分析結果に従って様々な周波数リソースに対応する１群のフィルタを選択してもよい。各フィルタは１つのサブキャリアに対応する。このように、当該結合フィルタ・モジュールによりフィルタされた後にデータ信号が様々なサブキャリアに変調される。異なるサブキャリアにより運搬されるデータ信号は異なる周波数帯域幅を有する。図１６Ｃは、本発明の１実施形態における様々な周波数領域リソースで構成したサブキャリアの略図である。Ｂは、周波数帯域幅の基本単位を示す。
【０２１４】
以上の実施形態から分かるように、送信装置はパイロット信号を受信装置に送信し、受信装置は、当該パイロット信号を測定することによって、当該パイロット信号を送信するためのチャネルのチャネル情報を送信装置にフィードバックし、送信装置は帯域幅周波数を当該チャネル情報に従って分割する。本発明の当該実施形態では、受信装置が、当該受信したパイロット信号に従って当該チャネル情報を送信装置にフィードバックすることができ、その結果、送信装置が当該帯域幅周波数をチャネル品質に従って分割することができる。分割された周波数領域リソースのサイズが異なってもよく、各周波数領域リソースは１つのサブキャリアに対応する。即ち、様々な周波数領域リソースがサブキャリアに対して構成され、受信装置によりフィードバックされたチャネル情報に従って当該サブキャリアの当該周波数領域リソースに対して適合的調整を実施することができ、その結果、システムの周波数効率を高めることができ、通信システムの性能を保証することができる。
【０２１５】
本発明の当該諸実施形態の技術をソフトウェアと必要な汎用ハードウェア・プラットフォームで実現してもよいことは当業者には明らかである。これに基づいて、本発明の当該諸実施形態における上述の技術的解決策と先行技術に貢献する部分をソフトウェア製品の形態で実質的に具体化してもよい。当該コンピュータ・ソフトウェア製品を、ＲＯＭ／ＲＡＭ、磁気ディスク、または光ディスクのようなコンピュータ可読記憶媒体に格納してもよく、当該ソフトウェア製品が、本発明の諸実施形態で説明した方法または当該諸実施形態の一部を実施するようにコンピュータ機器（例えば、パーソナル・コンピュータ、サーバ、またはネットワーク機器）に指示するための幾つかの命令を含んでもよい。
【０２１６】
本明細書における諸実施形態は全て、進歩的な方式で説明され、諸実施形態の同一部分または類似部分を相互参照してもよく、各実施形態は他の実施形態との相違点を示すことに着目している。特に、システムの実施形態に関して、当該実施形態は基本的に方法の実施形態と同様であるので、装置の実施形態は簡単に説明されており、関連する部分は方法の実施形態の説明の部分を参照して得ることができる。
【０２１７】
本発明の以上の実施形態は本発明の保護範囲を限定しようとするものではなく、本発明の趣旨と原理において行った均等な置換えや改善は本発明の保護範囲に入るものとする。
【符号の説明】
【０２１８】
７１０  送信装置
７２０  受信装置
８１０  送信ユニット
８２０  チャネル情報受信ユニット
８３０  構成ユニット
９１１  第１の送信サブユニット
９２１  第１のチャネル情報受信サブユニット
９３１  ＣＱＩ取得サブユニット
９３２  第１の周波数分割サブユニット
１０１１  第２の送信サブユニット
１０２１  第２のチャネル情報受信サブユニット
１０３１  第２の周波数分割サブユニット
１１１０  無線送信器
１１２０  プロセッサ
１２１０  パイロット信号受信ユニット
１２２０  フィードバック・ユニット
１３１１  第１のパイロット信号受信サブユニット
１３２１  ＣＱＩ測定サブユニット
１３２２  ＣＱＩフィードバック・サブユニット
１４１１  第２のパイロット信号受信サブユニット
１４２１  信号分割サブユニット
１４２２  ＣＳＩ測定サブユニット
１４２３  結果フィードバック・サブユニット
１５１０  無線受信器
１５２０  プロセッサ
【図１Ａ】
2015526980.tif 000025
【図１Ｂ】
2015526980.tif 000026
【図２Ａ】
2015526980.tif 000027
【図２Ｂ】
2015526980.tif 000028
【図３】
2015526980.tif 000029
【図４】
2015526980.tif 000030
【図５】
2015526980.tif 000031
【図６Ａ】
2015526980.tif 000032
【図６Ｂ】
2015526980.tif 000033
【図７】
2015526980.tif 000034
【図８】
2015526980.tif 000035
【図９】
2015526980.tif 000036
【図１０】
2015526980.tif 000037
【図１１】
2015526980.tif 000038
【図１２】
2015526980.tif 000039
【図１３】
2015526980.tif 000040
【図１４】
2015526980.tif 000041
【図１５】
2015526980.tif 000042
【図１６Ａ】
2015526980.tif 000043
【図１６Ｂ】
2015526980.tif 000044
【図１６Ｃ】
2015526980.tif 000045
【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
送信装置が送信したパイロット信号を受信装置により受信するステップ（３０１）と、
前記受信装置により、前記パイロット信号を測定することによって、前記パイロット信号を送信するためのチャネルのチャネル情報を前記送信装置にフィードバックして、前記送信装置が前記送信装置の帯域幅周波数を前記チャネル情報に従って分割するようにするステップ（３０２）と、
を含む、適合的周波数領域リソース構成方法。
【請求項２】
送信装置が送信したパイロット信号を受信装置により受信するステップは、前記受信装置によりパイロット信号を受信するステップであって、前記パイロット信号は前記送信装置により各事前分割された周波数領域で送信され、全ての周波数領域は前記送信装置の前記帯域幅周波数を形成するステップを含み、
前記受信装置により、前記パイロット信号を測定することによって、前記パイロット信号を送信するためのチャネルのチャネル情報を前記送信装置にフィードバックして、前記送信装置が前記送信装置の帯域幅周波数を前記チャネル情報に従って分割するようにするステップは、
前記受信装置により、前記送信装置の各周波数リソース・グループに対応するＣＱＩ値を各周波数領域で測定するステップであって、周波数リソース・グループは異なる数のサブキャリアで前記パイロット信号を運搬するステップと、
前記受信装置により、前記周波数リソース・グループに対応する前記ＣＱＩ値を前記送信装置にフィードバックして、前記送信装置が最大ＣＱＩ値を前記周波数リソース・グループに対応する前記ＣＱＩ値から取得して前記周波数領域を前記最大ＣＱＩ値に対応するサブキャリアの数に従って分割するようにするステップと、
を含む、請求項１に記載の方法。
【請求項３】
前記受信装置によりパイロット信号を受信するステップであって、前記パイロット信号は前記送信装置により各事前分割された周波数領域で送信されるステップは、前記受信装置によりＮ個のパイロット信号グループを受信するステップであって、前記Ｎ個のパイロット信号グループはそれに応じて、Ｎ個の周波数リソース・グループに従って、前記送信装置により各周波数領域で送信され、前記Ｎ個の周波数リソース・グループは、前記周波数領域を異なる数のサブキャリアに従って分割することによって前記送信装置により取得されたグループであり、Ｎは自然数であり、各周波数リソース・グループ内のサブキャリアは対応するパイロット信号グループを運搬するステップを含み、
前記受信装置により、前記送信装置の各周波数リソース・グループに対応するＣＱＩ値を各周波数領域で測定するステップは、前記Ｎ個のパイロット信号グループを各周波数領域でそれぞれ測定して、各周波数領域のＮ個のＣＱＩ値を取得するステップを含む、
請求項２に記載の方法。
【請求項４】
前記受信装置によりパイロット信号を受信するステップであって、前記パイロット信号は前記送信装置により各事前分割された周波数領域で送信されるステップは、前記受信装置によりパイロット信号グループを受信するステップであって、前記パイロット信号グループは、第１の周波数リソース・グループに含まれるサブキャリアを介して、前記送信装置により各周波数領域で送信され、前記第１の周波数リソース・グループは、前記周波数領域を異なる数のサブキャリアに従って分割することによって前記送信装置により取得された前記Ｎ個の周波数リソース・グループにおいて最大数のキャリアを有する周波数リソース・グループであるステップを含み、
前記受信装置により、前記送信装置の各周波数リソース・グループに対応するＣＱＩ値を各周波数領域で測定するステップは、
前記受信装置により、前記第１の周波数リソース・グループに対応する前記パイロット信号グループ内の全てのパイロット信号のＣＱＩ値を測定し、全ての前記パイロット信号の前記ＣＱＩ値の和を前記パイロット信号グループのＣＱＩ値として使用するステップと、
前記受信装置により、前記第１の周波数リソース・グループに対応する前記パイロット信号グループ内の前記パイロット信号を周波数領域で結合することによって、前記Ｎ個の周波数リソース・グループ内の前記第１の周波数リソース・グループ以外の周波数リソース・グループの各々におけるパイロット信号を取得するステップと、
前記受信装置により、他の周波数リソース・グループの各々に対応するパイロット信号グループのＣＱＩ値を測定するステップと、
前記第１の周波数リソース・グループに対応する前記パイロット信号グループの前記ＣＱＩ値および他の周波数リソース・グループの各々に対応する前記パイロット信号グループの前記ＣＱＩ値を各周波数領域の１群のＣＱＩ値として使用するステップと、
を含む、請求項２に記載の方法。
【請求項５】
前記送信装置が送信したパイロット信号を受信装置により受信するステップは、前記受信装置により広帯域パイロット信号を受信するステップであって、前記広帯域パイロット信号は前記送信装置により前記帯域幅周波数で送信されるステップを含み、
前記受信装置により、前記パイロット信号を測定することによって、前記パイロット信号を送信するためのチャネルのチャネル情報を前記送信装置にフィードバックして、前記送信装置が前記送信装置の帯域幅周波数を前記チャネル情報に従って分割するようにするステップは、
前記受信装置により、周波数間隔に従って前記広帯域パイロット信号を前記帯域幅周波数で分割して、周波数領域において１群のサブパイロット信号を取得するステップであって、各サブパイロット信号は前記帯域幅周波数上の１つの周波数領域に対応するステップと、
前記受信装置により、各周波数領域に対応するサブパイロット信号のチャネル状態情報ＣＳＩ値を測定するステップと、
前記受信装置により、前記周波数領域に対応する前記サブパイロット信号の前記ＣＳＩ値を閾値範囲と比較し、比較結果を前記送信装置にフィードバックして、前記送信装置が前記周波数領域を前記比較結果に従って分割するようにするステップと、
を含む、請求項１に記載の方法。
【請求項６】
前記受信装置により、前記周波数領域に対応する前記サブパイロット信号の前記ＣＳＩ値を閾値範囲と比較し、比較結果を前記送信装置にフィードバックして、前記送信装置が前記周波数領域を前記比較結果に従って分割するようにするステップは、前記受信装置により、前記周波数領域に対応する前記サブパイロット信号の前記ＣＳＩ値が属する閾値範囲を決定し、前記閾値範囲の量子化値を前記受信装置にフィードバックして、前記送信装置が前記量子化値に対応する周波数領域分割方式で前記周波数領域を分割するようにするステップを含む、請求項５に記載の方法。
【請求項７】
送信装置により送信されたパイロット信号を受信するように構成されたパイロット信号受信ユニット（１２１０）と、
前記パイロット信号受信ユニット（１２１０）により受信された前記パイロット信号を測定することによって、前記パイロット信号を送信するためのチャネルのチャネル情報を前記送信装置にフィードバックし、前記送信装置が前記送信装置の帯域幅周波数を前記チャネル情報に従って分割するようにするように構成されたフィードバック・ユニット（１２２０）と、
を備える、受信装置。
【請求項８】
前記パイロット信号受信ユニットは、パイロット信号を受信するように構成された第１のパイロット信号受信サブユニットであって、前記パイロット信号は前記送信装置により各事前分割された周波数領域で送信され、全ての周波数領域は前記送信装置の前記帯域幅周波数を形成する第１のパイロット信号受信サブユニットを備え、
前記フィードバック・ユニットは、
前記送信装置の各周波数リソース・グループに対応するＣＱＩ値を各周波数領域で測定するように構成されたＣＱＩ測定サブユニットであって、周波数リソース・グループは異なる数のサブキャリアで前記パイロット信号を運搬するＣＱＩ測定サブユニットと、
前記ＣＱＩ測定サブユニットにより測定され前記周波数リソース・グループに対応する前記ＣＱＩ値を前記送信装置にフィードバックして、前記送信装置が最大ＣＱＩ値を前記周波数リソース・グループに対応する前記ＣＱＩ値から取得し前記周波数領域を前記最大ＣＱＩ値に対応するサブキャリアの数に従って分割するようにするように構成されたＣＱＩフィードバック・サブユニットと、
を備える、請求項７に記載の装置。
【請求項９】
前記第１のパイロット信号受信サブユニットは特に、Ｎ個のパイロット信号グループを受信するように構成され、前記Ｎ個のパイロット信号グループはそれに応じて、Ｎ個の周波数リソース・グループに従って、前記送信装置により各周波数領域で送信され、前記Ｎ個の周波数リソース・グループは、前記周波数領域を異なる数のサブキャリアに従って分割することによって前記送信装置により取得されたグループであり、Ｎは自然数であり、各周波数リソース・グループ内のサブキャリアは対応するパイロット信号グループを運搬し、
前記ＣＱＩ測定サブユニットは特に、前記Ｎ個のパイロット信号グループを前記第１のパイロット信号受信サブユニットにより受信された前記周波数領域でそれぞれ測定して、各周波数領域のＮ個のＣＱＩ値を取得するように構成された、
請求項８に記載の装置。
【請求項１０】
前記第１のパイロット信号受信サブユニットは特に、１個のパイロット信号グループを受信するように構成され、前記パイロット信号グループは、第１の周波数リソース・グループに含まれるサブキャリアを介して、前記送信装置により各周波数領域で送信され、前記第１の周波数リソース・グループは、前記周波数領域を異なる数のサブキャリアに従って分割することによって前記送信装置により取得された前記Ｎ個の周波数リソース・グループにおいて最大数のキャリアを有する周波数リソース・グループであり、
前記ＣＱＩ測定サブユニットは特に、前記第１の周波数リソース・グループに対応する前記パイロット信号グループ内の全てのパイロット信号のＣＱＩ値を測定し、全ての前記パイロット信号の前記ＣＱＩ値の和を前記パイロット信号グループのＣＱＩ値として使用し、前記パイロット信号グループ内の前記パイロット信号を周波数領域で結合することによって前記Ｎ個の周波数リソース・グループ内の前記第１の周波数リソース・グループ以外の周波数リソース・グループの各々におけるパイロット信号を取得し、他の周波数リソース・グループの各々に対応するパイロット信号グループのＣＱＩ値を測定し、前記第１の周波数リソース・グループに対応する前記パイロット信号グループの前記ＣＱＩ値と他の周波数リソース・グループの各々に対応する前記パイロット信号グループの前記ＣＱＩ値を各周波数領域の１群のＣＱＩ値として使用するように構成された、
請求項８に記載の装置。
【請求項１１】
前記パイロット信号受信ユニットは、広帯域パイロット信号を受信するように構成された第２のパイロット信号受信サブユニットであって、前記広帯域パイロット信号は前記送信装置により前記帯域幅周波数で送信される第２のパイロット信号受信サブユニットを備え、
前記フィードバック・ユニットは、
前記広帯域パイロット信号を前記帯域幅周波数で周波数間隔に従って分割するように構成された信号分割サブユニットであって、前記広帯域パイロット信号は、周波数領域において１群のサブパイロット信号を取得するために前記第２のパイロット信号受信サブユニットにより受信され、各サブパイロット信号は前記帯域幅周波数上の１つの周波数領域に対応する、信号分割サブユニットと、
前記信号分割サブユニットにより分割された各周波数領域に対応するサブパイロット信号のＣＳＩ値を測定するように構成されたＣＳＩ測定サブユニットと、
前記周波数領域に対応する前記サブパイロット信号の前記ＣＳＩ値を閾値範囲と比較し、比較結果を前記送信装置にフィードバックして、前記送信装置が前記周波数領域を前記比較結果に従って分割するようにするように構成された結果フィードバック・サブユニットであって、前記ＣＳＩ値は前記ＣＳＩ測定サブユニットにより測定される、結果フィードバック・サブユニットと、
を備える、請求項７に記載の装置。
【請求項１２】
前記結果フィードバック・サブユニットは特に、前記周波数領域に対応する前記サブパイロット信号の前記ＣＳＩ値が属する閾値範囲を決定し、前記閾値範囲の量子化値を前記送信装置にフィードバックして、前記送信装置が前記量子化値に対応する周波数領域分割方式で前記周波数領域を分割するようにするように構成された、請求項１１に記載の装置。
【請求項１３】
送信装置（７１０）と受信装置（７２０）を備えた通信システムであって、
前記送信装置（７１０）は、パイロット信号を前記受信装置（７２０）に送信するように構成され、
前記受信装置（７２０）は、前記パイロット信号を測定することによって前記パイロット信号を送信するためのチャネルのチャネル情報を前記送信装置（７１０）にフィードバックするように構成され、
前記送信装置（７１０）はさらに、前記送信装置（７１０）の帯域幅周波数を前記チャネル情報に従って分割するように構成された、
通信システム。
【請求項１４】
前記送信装置は特に、パイロット信号を各事前分割された周波数領域で前記受信装置に送信し、全ての周波数領域は前記送信装置の前記帯域幅周波数を形成するように構成され、
前記受信装置は特に、前記送信装置の各周波数リソース・グループに対応するＣＱＩ値を各周波数領域で測定し、前記周波数リソース・グループに対応する前記ＣＱＩ値を前記送信装置にフィードバックし、前記送信装置が最大ＣＱＩ値を前記周波数リソース・グループに対応する前記ＣＱＩ値から取得し、前記周波数領域を前記最大ＣＱＩ値に対応するサブキャリアの数に従って分割するようにするように構成され、周波数リソース・グループは異なる数のサブキャリアで前記パイロット信号を運搬し、
前記送信装置は特に、前記最大ＣＱＩ値を前記周波数リソース・グループに対応する前記ＣＱＩ値から取得し、前記最大ＣＱＩ値に対応する前記サブキャリアの数に従って前記周波数領域を分割するようにさらに構成された、
請求項１３に記載の通信システム。
【請求項１５】
前記送信装置は特に、広帯域パイロット信号を前記受信装置に前記帯域幅周波数で送信するように構成され、
前記受信装置は特に、前記広帯域パイロット信号を前記帯域幅周波数で周波数間隔に従って分割して周波数領域において１群のサブパイロット信号を取得し、前記周波数領域に対応する前記サブパイロット信号の前記ＣＳＩ値を閾値範囲と比較し、比較結果を前記送信装置にフィードバックするように構成され、各サブパイロット信号は前記帯域幅周波数上の１つの周波数領域に対応し、
前記送信装置は特に、前記帯域幅周波数の各周波数領域を前記受信装置によりフィードバックされた前記比較結果に従って分割するようにさらに構成された、
請求項１３に記載の通信システム。
【国際調査報告】
2015526980.tif 000046
2015526980.tif 000047
2015526980.tif 000048
2015526980.tif 000049